(57)【要約】  電界紡糸装置のノズルの近傍の空気の湿度、ノズルから噴射された帯電溶液の近傍の空気の湿度、ノズルと堆積面との間の溶液通路の近傍の空気の湿度、及び／又は堆積面の近傍の空気の湿度を低下させるシステム、装置及び方法。装置は、帯電溶液を堆積面に堆積させるために、帯電溶液および所定乾燥度のガスを制御して噴射する。所定乾燥度のガスは、帯電溶液が噴射される位置から、ノズルのノズル先端の近傍に供給される。所定乾燥度のガスは、ノズル先端の位置、ノズル先端の前方又は後方の焦点に向けて所定の方向に噴射される。【選択図】図１
2021504589.tif 000002
【特許請求の範囲】
【請求項１】
帯電溶液及び所定乾燥度のガスを制御して噴射する装置であって、
前記装置は、
ノズル先端に位置するノズル開口部から前記帯電溶液を噴射するノズルと、
前記ノズルに対して配置され、噴射口から、前記所定乾燥度のガスを所定基準速度で所定方向に噴射し、前記所定乾燥度のガスを前記ノズル開口部の近傍に供給するガス噴射部と、
を有し、
前記ガス噴射部は、前記ノズル開口部の位置、前記ノズル開口部の前方又は後方の焦点に向けて前記所定乾燥度のガスを所定方向に噴射する、装置。
【請求項２】
前記所定乾燥度のガスは、前記帯電溶液を噴射する前に噴射される、請求項１に記載の装置。
【請求項３】
前記ノズル先端は、前記ガス噴射部よりも装置本体から突出している、請求項１に記載の装置。
【請求項４】
前記装置は、携帯用の、手持ち式の装置である、請求項１に記載の装置。
【請求項５】
前記装置の正面図において、前記ガス噴射部の中心軸は、前記ノズル開口部の中心軸と同心円状に並んでいる、請求項１に記載の装置。
【請求項６】
前記ガス噴射部は、一つのガス噴射部開口部からなる、請求項１に記載の装置。
【請求項７】
前記一つのガス噴射部開口部は、連続スリットの形状である、請求項６に記載の装置。
【請求項８】
前記ガス噴射部は、一つのガス噴射部開口部からなり、前記装置の正面図において、前記一つのガス噴射部開口部は、前記ノズル開口部を部分的に又は完全に取り囲む、請求項１に記載の装置。
【請求項９】
前記ガス噴射部は、前記ノズル開口部の中心軸と一致する前記ノズル開口部の前方の焦点に向けて、前記所定乾燥度のガスを前記所定方向に噴射する、請求項１に記載の装置。
【請求項１０】
前記ガス噴射部は、前記所定乾燥度のガスが、前記ノズル開口部及び／又は前記ノズル開口部の前方に位置するように、前記所定乾燥度のガスを前記ノズルに向けて前記所定の方向に噴射する、請求項１に記載の装置。
【請求項１１】
前記ガス噴射部は、前記帯電溶液が、前記ノズル開口部から噴射される方向とは平行でない前記所定方向に、前記所定乾燥度のガスを噴射する、請求項１に記載の装置。
【請求項１２】
前記帯電溶液として噴射される溶液は、ポリマ溶液であり、前記ポリマ溶液は、コーティング形成能を有する水不溶性ポリマである、請求項１に記載の装置。
【請求項１３】
前記荷電溶液として噴射される溶液は、成分（ａ）、成分（ｂ）、及び成分（ｃ）を含む液剤であり、
前記成分（ａ）は、アルコール及びケトンからなる群から選択される１以上の揮発性物質であり、
前記成分（ｂ）は、水であり、
前記成分（ｃ）は、コーティング形成能を有する１以上のポリマである、請求項１に記載の装置。
【請求項１４】
前記所定乾燥度のガスは、所定速度で噴射され、前記所定速度は、前記噴射口の断面積に基づいて、約０．０５ｍ／秒〜約１０ｍ／秒又は約０．１５ｍ／秒〜約１ｍ／秒の範囲である、請求項１に記載の装置。
【請求項１５】
前記所定乾燥度のガスは、前記帯電溶液に向けて、ガス噴射部から所定速度で噴射され、前記所定速度は、噴射された前記帯電溶液の流れを変えない速度であるか、又は噴射された前記帯電溶液の流れの形状を変形させない速度である、請求項１に記載の装置。
【請求項１６】
前記所定乾燥度のガスを制御して、噴射するコントローラをさらに有し、
前記コントローラは、噴射サイクルの間、前記所定乾燥度のガスを制御して、連続的なオンオフ又はパルス的なオンオフのいずれかにより、前記所定乾燥度のガスを前記ガス噴射部から噴射する、請求項１に記載の装置。
【請求項１７】
前記所定乾燥度のガスを制御して、噴射するコントローラをさらに有し、
前記コントローラは、
噴射サイクルの間、前記所定乾燥度のガスを制御して、所定第１時間、前記所定乾燥度のガスを前記ガス噴射部から噴射し、
前記帯電溶液を制御して、所定第２時間、前記帯電溶液を前記ノズル開口部から噴射する、請求項１に記載の装置。
【請求項１８】
前記ノズル又は前記ノズルの一部は、取り外し可能である、請求項１に記載の装置。
【請求項１９】
帯電溶液及び所定乾燥度のガスを制御して噴射する装置を提供するステップと、
提供された前記装置を使用するステップと、
を含む方法であって、
前記装置は、
ノズル先端に位置するノズル開口部から前記帯電溶液を噴射するノズルと、
前記ノズルに対して配置され、噴射口から、前記所定乾燥度のガスを所定基準速度で所定方向に噴射し、前記所定乾燥度のガスをノズル開口部の近傍に供給するガス噴射部と、
を有し、
前記ガス噴射部は、前記ノズル開口部の位置、前記ノズル開口部の前方又は後方の焦点に向けて前記所定乾燥度のガスを前記所定方向に噴射する、方法。
【請求項２０】
前記使用するステップにおいて、前記提供された装置は、前記焦点の近傍の湿度を約１０％ＲＨ〜約３０％ＲＨに低下させる、請求項１９に記載の方法。
【発明の詳細な説明】
【技術分野】
【０００１】
本発明の実施形態は、概ね、電界紡糸装置、電界紡糸システム、及び電界紡糸方法に関する。より詳細には、本発明の実施形態は、携帯用の、手持ち式の電界紡糸装置、電界紡糸システム、電界紡糸方法、及びそれらの構成要素に関する。
【０００２】
本発明の１つ以上の実施形態において、帯電溶液及び所定乾燥度のガスを制御して噴射する装置を提供する。この装置は、ノズルであって、ノズルのノズル先端に位置するノズル開口部から帯電溶液を噴射するノズルと、ノズルに対して配置され、噴射口から、所定乾燥度のガスを所定基準速度で所定方向に噴射するガス噴射部と、を有し、所定乾燥度のガスをノズル開口部の近傍に供給する。ガス噴射部は、ノズル開口部の位置、ノズル開口部の前方又は後方の焦点に向けて所定乾燥度のガスを所定方向に噴射する。
【０００３】
本発明はまた、１つ以上の実施形態において、帯電溶液及び所定乾燥度のガスを制御して噴射するシステムを提供する。このシステムは、ノズル先端に位置するノズル開口部から帯電溶液を噴射する帯電溶液噴射手段と、噴射口から、所定乾燥度のガスを所定基準速度で所定方向に噴射するガス噴射手段と、を有し、ガス噴射手段は、所定乾燥度のガスを帯電溶液噴射手段の噴射部の近傍に供給する。
【０００４】
実施形態は、電界紡糸溶液及び所定乾燥度のガスを堆積面に向けて供給する携帯用の、手持ち式の電界紡糸装置を含む。電界紡糸装置は、本体と、本体の先端に設けられ、ノズル開口部から堆積面に向かって電界紡糸溶液を噴射するノズルと、本体に設けられたコントロールスイッチと、本体の内部に設けられた電気回路であって、コントロールスイッチに接続されて、動作し、コントロールスイッチに対するユーザによる手動操作によって制御可能であり、電界紡糸溶液をノズルに供給するように動作するポンプを制御して、電界紡糸溶液をノズルから制御して噴射し、電界紡糸溶液として噴射する電気回路と、電気回路に接続されて、制御される電源と、所定乾燥度のガスを供給するガス供給部と、ガス供給部によって供給された所定乾燥度のガスを噴射して、ノズル開口部の近傍に供給するガス噴射部と、を有する。ガス噴射部は、ノズルのノズル開口部に対して後ろ側に配置され、電気回路は、電界紡糸溶液を噴射する前に所定乾燥度のガスを噴射してもよい。
【０００５】
実施形態は、本発明の１以上の実施形態に係る装置及びシステムを提供、製造及び／又は使用する方法を含む。本発明の１以上の実施形態に係る装置及び／又はシステムを使用することにより、ノズルの周囲の空気の湿度、吐出された溶液の周囲の空気の湿度、及び／又はノズルと堆積面との間の溶液流路の周囲の空気の湿度を低減できる。
【図面の簡単な説明】
【０００６】
添付図面は、本明細書に組み込まれ且つその一部を構成するものであり、本発明の１以上の実施形態の例示であり、説明と共に、本発明の様々な実施形態を説明する。また、添付図面は、必ずしも縮尺通りに描かれているものではなく、添付図面中のいかなる数値または寸法も、説明だけの目的で付されており、係る数値や寸法は、実際の数値や寸法または好適な数値や寸法を表していても、表していなくてもよい。場合によっては、本発明の特徴のいくつかまたは全ては、基本的な特徴の説明及び理解を助けるために図示されていない場合がある。
【０００７】
【図１】本発明の１以上の実施形態に係る装置又はシステムの図である。
【図２】本発明の１以上の実施形態係る図１の装置又はシステムの一部のブロック図である。
【図３】本発明の１以上の実施形態に係る装置又はシステムの図である。
【図４】本発明の１以上の実施形態に係る装置又はシステムの図である。
【図５Ａ】図４の装置又はシステムの一部の底面斜視図である。
【図５Ｂ】図４の装置又はシステムの一部の底面平面図である。
【図６Ａ】本発明の他の実施形態の装置又はシステムの一部の斜視断面図である。
【図６Ｂ】図６Ａの一部の底面斜視図である。
【図７】本発明の１以上の実施形態に係る装置の側断面図である。
【図８Ａ】本発明の１以上の実施形態に係る噴射タイミングを説明する透視断面図である。
【図８Ｂ】本発明の１以上の実施形態に係る噴射タイミングを説明する透視断面図である。
【図９Ａ】本発明の１以上の実施形態に係る例示的な流れの様子を示す側面図である。
【図９Ｂ】本発明の１以上の実施形態に係る例示的な流れの様子を示す側面図である。
【図９Ｃ】本発明の１以上の実施形態に係る例示的な流れの様子を示す側面図である。
【図１０】本発明の１以上の実施形態に係る方法の基本的なフローチャートである。
【発明を実施するための形態】
【０００８】
添付図面と関連して以下に記載される説明は、本発明の様々な実施形態の説明を意図したものであり、必ずしも本発明の唯一の実施形態を意図したものではない。実施形態では、本発明を理解することを目的として具体的詳細が記載される。しかしながら、これらの具体的詳細がなくても実施形態を実施できることは当業者には明らかである。いくつかの実施形態では、構造及び構成要素をブロック図の形式で図示して、本発明の概念が不明確となるのを回避している。可能な限り、同一または類似の構成については、添付図面を通して同じ符号を付している。
【０００９】
本明細書において、「一実施形態」または「実施形態」が言及される場合、実施形態に関連して記載される特定の特徴、構造、特徴、動作または機能は、少なくとも１つの実施形態に含まれるものとする。したがって、本明細書において、「一実施形態において」または「実施形態において」と記載される場合、それらが必ずしも同一の実施形態を指すものではない。さらに、１以上の実施形態において、特定の特徴、構造、特徴、動作または機能は、任意の適切な方法で組み合わせてもよいし、開示した本発明の実施形態は、記載した実施形態の改良及び変形を含み、含むことが意図される。
【００１０】
本明細書、添付の特許請求の範囲及び要約書において使用されるように、単数形の「ａ」、「ａｎ」及び「ｔｈｅ」は、明確に指示されない限り、複数を含むことに留意する。すなわち、本明細書において使用される「ａ」及び「ａｎ」などの語は、特に明記されない限り、「１以上」の意味を有する。さらに、本明細書において使用される、「左」、「右」、「頂」、「底」、「前」、「後」、「横」、「高さ」、「長さ」、「幅」、「上部」、「下部」、「内部」、「外部」、「内側」、「外側」などの用語は、単に参照点を示すものであって、必ずしも開示した本発明の実施形態を特定の方向や構成に限定するものではない。さらにまた、「第１」、「第２」、「第３」などは、多数の部分、構成要素、参照点、動作及び／または機能のうちの１つを特定しているに過ぎず、同様に、必ずしも開示した本発明の実施形態を任意の特定の方向や構成に限定するものではない。
【００１１】
本発明の実施形態は、概ね、電界紡糸装置及び電界紡糸装置システム、並びにそれらの方法に関するものである。より詳細には、本発明の実施形態は、携帯用の、手持ち式の電界紡糸装置、電界紡糸システム、電界紡糸方法及びそれらの構成要素に関するものである。本発明の実施形態は、携帯用の、手持ち式の電界紡糸装置、電界紡糸システム、電界紡糸方法及びそれらの構成要素を含み、これらの実施形態は、医療、サロンまたは家庭における利用を前提とする。
【００１２】
本実施形態に係る電界紡糸装置、電界紡糸システム及び方電界紡糸法は、電界紡糸装置のノズルの近傍の空気の湿度、ノズルから噴射された帯電溶液の近傍の空気の湿度、ノズルと堆積面との間の溶液通路の近傍の空気の湿度、及び／又は堆積面の近傍の空気の湿度を低下させる。必要に応じて、湿度が一旦低下すると、本実施形態においては、低下した湿度レベルに維持されるか、または、低下した湿度レベルに実質的に（例えば、所定範囲内で）維持される。
【００１３】
したがって、１以上の実施形態においては、装置（またはシステム）は、堆積面（例えば、人間の皮膚）に帯電溶液を堆積させるために、帯電溶液及び所定乾燥度のガスを制御して噴射する。必要に応じて、所定乾燥度のガスを、帯電溶液が噴射されるノズルのノズル先端の近傍に供給する。例えば、所定乾燥度のガスは、ノズル先端、ノズル先端の前方又は後方の焦点に向けて所定方向に噴射される。必要に応じて、所定乾燥度のガスは、所定速度、例えば、噴射された帯電溶液流の流量を変えない速度、及び／又は、噴射された帯電溶液流の形状を変形させない速度で噴射される。
【００１４】
一般的に、電界紡糸法は、エレクトロスピニングとも呼ばれ、例えば、ポリマ溶液等の溶液中または周囲に電界（ＥＦ）を発生させて、溶液を引き出し、比較的細い繊維を作り出すものである。テーラーコーン（Ｔａｙｌｏｒ  ｃｏｎｅ）を生成するのに十分な電界を生成するには、十分な電圧を供給しなければならない。そのような複数の繊維は、例えば、人間の皮膚などの堆積面にメッシュやウェブを形成する。
【００１５】
細い繊維の直径は、例えば、ナノメーターのオーダーである。すなわち、電界紡糸法（電界スピニング法）により繊維の堆積物を形成する場合、対応する円の直径で表される繊維の太さは、１０ｎｍ以上、より好ましくは、５０ｎｍ以上である。また、繊維の太さは、３０００ｎｍ以下、より好ましくは、１０００ｎｍ以下である。繊維の太さは、走査型電子顕微鏡（ＳＥＭ）を使用して、１０，０００倍に拡大した繊維を観察して、測定できる。例えば、細繊維の二次元画像から欠陥（繊維の塊、繊維の交差部分、液滴）を取り除き、任意に１０本の繊維を選択し、各繊維の長手方向に直交する線を引き、繊維の直径を直接読み取ることにより測定できる。
【００１６】
好ましくは、１以上の実施形態において、繊維は連続繊維である。繊維は、製造時は無限長の繊維であるが、少なくとも繊維の太さの１００倍以上の長さを有することが好ましい。本明細書においては、繊維の太さの１００倍以上の長さを有する繊維を「連続繊維」と定義する。電界紡糸法によって形成されるコーティングは、連続繊維の堆積物を含む多孔性不連続コーティングであることが好ましい。
【００１７】
溶液の粘度は、約１ｍＰａ・ｓ〜約１，２００ｍＰａ・ｓが好ましく、約５０ｍＰａ・ｓ〜約５００ｍＰａ・ｓがより好ましく、約１００ｍＰａ・ｓ〜約３００ｍＰａ・ｓがさらに好ましい。粘度は、１以上の粘度計を用いる方法や、１種類以上の粘度計、例えば、スピンドル型（Ｂ型）粘度計またはコーンプレート型（Ｅ型）粘度計を用いて計測できる。例えば、スピンドル型粘度測定は、次の特性／条件で、つまり、スピンドル番号がＭ２（２１）、回転速度が６０ｒｐｍ、及び、温度が２５℃で、Ｂ型の粘度計（例えば、東機産業株式会社のＴＶＢ−１０）を用いて行われる。追加として、または代替として、コーンプレート型粘度測定は、次の特性／条件で、つまり、コーンプレートローター番号が４３、粘度レベルに応じた粘度計の仕様に従って選択された回転数が、１２８０ｍＰａ・ｓ超で１ｒｐｍ、１２８ｍＰａ・ｓ超１２８０ｍＰａ・ｓ未満で１０ｒｐｍ、及び１２８ｍＰａ・ｓ未満で１００ｒｐｍ、そして、温度が２５℃で、Ｅ型の粘度計（例えば、東京計器株式会社製のＶＩＳＣＯＮ  ＥＭＤ）を用いて行われる。
【００１８】
本発明の１以上の実施形態では、上述したとおり、溶液はポリマ溶液である。例えば、ポリマ溶液は、コーティング形成能を有する水不溶性ポリマが好ましい。例えば、コーティング形成後に不溶化できる完全鹸化ポリビニルアルコール、架橋剤と併用することでコーティング形成後に架橋できる部分鹸化ポリビニルアルコール、ポリ（Ｎ−プロパノイルエチレンイミン）グラフト−ジメチルシロキサン／γ−アミノプロピルメチルシロキサン共重合体等のオキサゾリン変性シリコーン、ポリビニルアセタールジエチルアミノアセテート、ゼイン（とうもろこし蛋白質の主要成分）、ポリエステル、ポリ乳酸（ＰＬＡ）、ポリアクリロニトリル樹脂、ポリメタクリル酸樹脂等のアクリル樹脂、ポリスチレン樹脂、ポリビニルブチラール樹脂、ポリエチレンテレフタレート樹脂、ポリブチレンテレフタレート樹脂、ポリウレタン樹脂、ポリアミド樹脂、ポリイミド樹脂、及びポリアミドイミド樹脂が好ましい。より好ましくは、ポリマ溶液は、ポリビニルブチラール樹脂であるか、または、ポリビニルブチラール樹脂を含む。本明細書において「水不溶性ポリマ」という用語は、ポリマ１ｇを坪量し、１気圧、２３℃の環境下で２４時間、１０ｇのイオン交換水に浸漬した場合に、浸漬したポリマの０．５ｇ以上が水に溶解しない性質を有するポリマを意味する。必要に応じて、ポリマ溶液は、好ましくは、浮遊物質（例えば、粉末）を欠いていてもよい。すなわち、ポリマ溶液は、浮遊物質（例えば、粉末）を含まないか、または実質的に含まない。
【００１９】
追加として、または代替として、本発明の１以上の実施形態において、溶液は、以下のように、成分（ａ）、成分（ｂ）及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマである。
【００２０】
成分（ａ）の揮発性物質として好ましいアルコールは、例えば、鎖式脂肪族一価アルコール、環式脂肪族一価アルコール、及び芳香族一価アルコールを含む。それらの具体例としては、エタノール、イソプロピルアルコール、ブチルアルコール、フェニルエチルアルコール、プロパノール、及びペンタノールが挙げられる。これらのアルコール類から選択される１以上のアルコールを使用できる。成分（ａ）の揮発性物質であるケトンとして、アセトン、メチルエチルケトン、及びメチルイソブチルケトンを含む。これらのケトンは、単独でまたは２種以上を組み合わせて使用してもよい。成分（ａ）の揮発性物質は、エタノール、イソプロピルアルコール、及びブチルアルコールから選択される少なくとも１種であることが好ましく、エタノール及びブチルアルコールから選択される少なくとも１種であることがより好ましく、エタノールがさらに好ましい。
【００２１】
一般的に、成分（ａ）は揮発性であり、成分（ｃ）を分散又は溶解させる。本明細書において「分散または溶解」という用語は、物質が、２０℃で分散状態にあり、目視観察で均一であり、目視観察で透明または半透明であることが好ましい。
【００２２】
成分（ｃ）は、疎水性（水不溶性）であることが好ましい。例えば、ポリマがコーティング形成能を有する場合、成分（ａ）として使用する揮発性物質の特性に応じたポリマを使用できる。具体的には、コーティング形成能を有するポリマは、水溶性ポリマと、水不溶性ポリマとに大別できる。本明細書において「水溶性ポリマ」という用語は、ポリマ１ｇを坪量し、１気圧、２３℃の環境下で２４時間、１０ｇのイオン交換水に浸漬した場合に、浸漬したポリマの０．５ｇ以上が水に溶解する性質を有するポリマを意味する。一方で、上述したように、本明細書において「水不溶性ポリマ」という用語は、ポリマ１ｇを坪量し、１気圧、２３℃の環境下で２４時間、１０ｇのイオン交換水に浸漬した場合に、浸漬したポリマの０．５ｇ以上が溶解しない性質を有するポリマを意味する。
【００２３】
コーティング形成能を有する水溶性ポリマの例としては、プルラン、ヒアルロン酸、コンドロイチン硫酸、ポリ−γ−グルタミン酸、変性コーンスターチ、β−グルカン、グルコオリゴ糖、ヘパリン及びケラト硫酸等のムコ糖、セルロース、ペクチン、キシラン、リグニン、グルコマンナン、ガラクツロン酸、サイリウムシードガム、タマリンドシードガム、アラビアガム、トラガントガム、水溶性大豆多糖、アルギン酸、カラギーナン、ラミナラン、寒天（アガロース）、フコイダイン、メチルセルロース、ヒドロキシプロピルセルロース、ヒドロキシプロピルメチルセルロースなどの天然高分子、及び、部分鹸化ポリビニルアルコール（架橋剤と併用しない場合）、低鹸化ポリビニルアルコール、ポリビニルピロリドン（ＰＶＰ）、ポリエチレンオキシド、及びポリアクリル酸ナトリウムなどの合成高分子が含まれる。これらの水溶性ポリマは、単独でまたは２種以上を組み合わせて用いることができる。コーティング製造の容易さの観点から、プルラン、並びに部分鹸化ポリビニルアルコール、低鹸化ポリビニルアルコール、ポリビニルピロリドン及びポリエチレンオキシドなどの合成高分子を用いることが好ましい。水溶性ポリマとしてポリエチレンオキシドを用いる場合、その平均分子量は、５０，０００以上３，０００，０００以下であることが好ましく、１００，０００以上２，５００，０００以下であることがより好ましい。
【００２４】
一方、コーティング形成能を有する水不溶性ポリマの例としては、コーティング形成後に不溶化できる完全鹸化ポリビニルアルコール、架橋剤と併用することでコーティング形成後に架橋できる部分鹸化ポリビニルアルコール、ポリ（Ｎ−プロパノイルエチレンイミン）グラフト−ジメチルシロキサン／γ−アミノプロピルメチルシロキサン共重合体等のオキサゾリン変性シリコーン、ポリビニルアセタールジエチルアミノアセテート、ゼイン（とうもろこし蛋白質の主要成分）、ポリエステル、ポリ乳酸（ＰＬＡ）、ポリアクリロニトリル樹脂またはポリメタクリル酸樹脂等のアクリル樹脂、ポリスチレン樹脂、ポリビニルブチラール樹脂、ポリエチレンテレフタレート樹脂、ポリブチレンテレフタレート樹脂、ポリウレタン樹脂、ポリアミド樹脂、ポリイミド樹脂、及びポリアミドイミド樹脂を含む。これらの水不溶性ポリマは単独でまたは２種以上を組み合わせて使用できる。これらの水不溶性ポリマのうち、コーティング形成後に不溶化できる完全鹸化ポリビニルアルコール、架橋剤と併用することでコーティング形成後に架橋できる部分鹸化ポリビニルアルコール、ポリビニルブチラール樹脂、ポリ（Ｎ−プロパノイルエチレンイミン）グラフト−ジメチルシロキサン／γ−アミノプロピルメチルシロキサン共重合体等のオキサゾリン変性シリコーン、水溶性ポリエステル、ゼイン等を使用するのが好ましい。
【００２５】
組成物における成分（ａ）の含有量は、５０質量％以上であることが好ましく、５５質量％であることがより好ましく、６０質量％以上であることがさらに好ましい。また、組成物における成分（ａ）の含有量は、９８質量％以下であることが好ましく、９６質量％以下であることがより好ましく、９４質量％以下であることがさらに好ましい。組成物における成分（ａ）の含有量は、５０質量％以上９８質量％以下であることが好ましく、５５質量％以上９６質量％以下であることがより好ましく、６０質量％以上９４質量％以下であることがさらに好ましい。
【００２６】
組成物における成分（ｃ）の含有量は、２質量％以上であることが好ましく、４質量％以上であることがより好ましく、６質量％以上であることがさらに好ましい。また、組成物における成分（ｃ）の含有量は、５０質量％以下であることが好ましく、４５質量％以下であることがより好ましく、４０質量％以下であることがさらに好ましい。組成物における成分（ｃ）の含有量は、２質量％以上５０質量％以下であることが好ましく、４質量％以上４５質量％以下であることがより好ましく、６質量％以上４０質量％以下であることがさらに好ましい。成分（ｃ）をこの割合で組成物に配合すると、所望のコーティングを良好に形成することができる。
【００２７】
溶液の導電性の観点から、成分（ｂ）を含むことが好ましい。成分（ｂ）の含有量は、成分（ａ）に対して１０％以下であることが好ましく、５％以下であることがより好ましく、紡糸性の観点から、０．５％以下であることが好ましい。
【００２８】
本発明の１以上の実施形態は、下地／ファンデーション、コンシーラ、保湿剤及び着色料などの化粧品の塗布も含む。勿論、本発明の１以上の実施形態は、化粧品の塗布に限定されない。例えば、本発明の１以上の実施形態は、消臭剤、芳香剤、日焼け止め、クリーム、局所薬物送達、抗菌バリア及びコーティング、疎水性表面処理／汚染表面処理、防汚コーティング、組織修復などへの応用も含む。
【００２９】
図面を参照すると、図１は、本発明の実施形態に係る装置又はシステム１００（以下「装置」という）の図を示す。図示したように、装置１００は、手持ち式の装置であり、例えば、ユーザ１は、片方の手２のみで使用できる装置である。装置１００は、携帯型、すなわち、一般的に、装置１００は一か所に固定されていないか、又は実質的に固定されておらず、その代わりに場所から場所（例えば、異なる部屋、店舗、等）に比較的容易に移動させることができる。必要に応じて、装置１００はワイヤレスであってもよく、電力及び制御は、装置１００自体により提供される。それに代えて、電力は、装置１００から離れた電力供給源、例えば、幹線から壁コンセント（図示せず）に接続可能な柔軟な電源コードを介して供給されてもよい。
【００３０】
上述したとおり、装置１００は電界紡糸装置であり、帯電溶液５０を電界紡糸の形態で噴射する。一般的に、電界紡糸の場合、繊維が堆積する堆積面４は、接地電位であるか又は接地電位に近い電位でなければならない。このように、ユーザ１の皮膚などの堆積面４は電界紡糸の間は接地されるべきである。ユーザ１の接地については、ユーザ１を装置１００、ベースステーション（図示せず）又はその他の接地構造へ接地させればよい。例えば、図１に示すように、接地回路５は、装置１００に接続された接地ラインを介して、装置１００のグリップにあるロッド又はプレート、場合によっては、ユーザ１に取り付けられた接地ストラップを介して、設けられる。この他にも、接地回路５は、ユーザ１に取り付けられた接地ストラップ及びベースステーション（図示せず）に接続された接地ラインを介して、又は椅子、シート、机、金属プレート又は他の構造物に組み込まれた接地経路等の接地経路を介して、設けられる。また、ユーザ１以外の人物、例えば、エステティシャンが装置１００を用いて電界紡糸溶液５０をユーザ１に塗布する場合、その人物も、例えば、上述したように、装置１００を介して接地してもよいし、別の接地経路を介して接地してもよい。 
【００３１】
噴射された帯電溶液５０の流量は約０．１７ｍｌ／分、好ましくは約０．０７ｍｌ／分、より好ましくは約０．０１〜約０．５０ｍｌ／分、さらに好ましくは約０．０３〜約０．４０ｍｌ／分、さらに好ましくは約０．０５〜約０．３ｍｌ／分である。また、流量は、電界を発生させるために供給される電流および電圧、噴射される所望の繊維特性に基づいて決定するか、或いは設定されてもよい。流量は、分子量、種類、導電率等の溶液の特性、周囲温度及び／又は周囲湿度等の環境的側面、及びノズル１０２の構成等の装置構成によって決定してもよい。
【００３２】
装置１００は、本体１０１と、帯電溶液５０を噴射するノズル１０２であって、本体１０１の一部として、または、本体１０１とは別の部材として、本体１０１の先端に設けられ、帯電溶液５０を噴射するためのノズル先端部およびノズル開口部（図１には図示されていない）を有するノズル１０２と、ノズル１０２に対して配置され、所定乾燥度のガス５５を噴射するガス噴射部１０３と、を有する。
【００３３】
装置１００は、ユーザ１が手動で操作するユーザインタフェース１０４であって、帯電溶液５０及び所定乾燥度のガス５５を制御して噴射するためのコントロールインタフェース（例えば、コントロールスイッチ、ボタン等）を含む。必要に応じて、異なる複数のコントロールインタフェースを用いて、帯電溶液５０の噴射及び所定乾燥度のガス５５の噴射を制御してもよい。それに代えて、１個のコントロールインタフェースを用いて、帯電溶液５０の噴射及び所定乾燥度のガス５５の噴射を制御してもよい。
【００３４】
装置１００は、本体１０１の内部に設けられた少なくとも１つのコントローラを含む電気回路１０６を有し、例えば、溶液貯蔵部１０７から高圧電極１０５を介してノズル１０２に溶液を供給して溶液を帯電させ、帯電溶液５０を電界紡糸溶液として噴射するポンプを有していてもよい。電気回路１０６は、ユーザインタフェース１０４に接続されて、動作し、ユーザインタフェース１０４に対するユーザ１による手動インプットによって制御可能であり、ノズル１０２に溶液が供給され高圧電極１０５により帯電され、電界紡糸形式の帯電溶液５０として噴射されるようにポンプを制御して、ノズル１０２から帯電溶液５０を制御して噴射する。高圧電極１０５に供給される高圧電力は、装置１００の本体１０１の内部に設けられた電源１０９から供給される。また、電源１０９は、非高圧電力を回路１０６に供給し、例えば、ポンプ、ユーザインタフェース、所定乾燥度のガス５５を噴射するために実装される電気部品、装置１００の湿度センサなどに電力を供給する。
【００３５】
装置１００は、所定乾燥度のガス５５を噴射するガス噴射部１０３に所定乾燥度のガス５５を供給するガス供給部１０８を有する。ガス供給部１０８は、１以上のガス供給ラインの形態であってもよく、これにより、ガスは、装置１００とは別個に設けられたガス貯蔵部を介してガス供給ラインに供給される。あるいは、ガス供給部１０８は、装置１００に搭載されていてもよい。すなわち、装置１００は、例えば、本体１０１の内部又は外部にガス貯蔵部を有していてもよい。
【００３６】
したがって、装置１００は、ユーザインタフェース１０４及び電気回路１０６のコントローラを介して、１本以上の所定乾燥度のガス５５の流れを噴射するように制御できる。よって、１以上の実施形態において、装置１００は、帯電溶液５０及び所定乾燥度のガス５５を制御して噴射して、帯電溶液５０を堆積面４（例えば、人間の皮膚）に堆積させる。
【００３７】
所定乾燥度のガス５５は、空気、圧縮空気、Ｏ２、Ｎ２、Ａｒ、Ｈｅ及びＣＯ２のうちの１以上を含む。さらに、所定乾燥度のガス５５は、ガス噴射部１０３の噴射口（又は開口部）において所定の基準速度で噴射される。本発明に係る１以上の実施形態において、基準速度は、約０．０５ｍ／秒〜約１０ｍ／秒の範囲であることが好ましく、約０．１５ｍ／秒〜約１ｍ／秒の範囲であることがより好ましい。必要に応じて、基準速度は、所定乾燥度のガス５５が、噴射された帯電溶液５０の流れを変えない速度であるか、及び／又は、噴射された帯電溶液５０の流れの形状を変形させない速度としてもよい。必要に応じて、所定乾燥度のガス５５の基準速度は、ノズル１０２のノズル開口部の断面積、及び／又はガス噴射部１０３の噴射口の断面積に基づいて決定される。また、所定乾燥度のガス５５は、装置１００から連続的に噴射されても、パルス状に噴射されてもよい。
【００３８】
所定乾燥度のガス５５を噴射することにより、装置１００のノズル１０２の近傍（例えば、ノズル１０２のノズル先端の前方）の空気の湿度、ノズル１０２から噴射された帯電溶液５０の近傍の空気の湿度、ノズル１０２と堆積面４との間の溶液流路又は所定経路の近傍の空気の湿度、及び／又は堆積面４の近傍の空気の湿度を低下させる。さらに、本発明の１以上の実施形態においては、湿度が一旦低下すると、所定乾燥度のガス５５の連続的又は周期的な供給によって、低下した湿度レベルに維持されるか、または、低下した湿度レベルに実質的に（例えば、所定範囲内で）維持される。１以上の実施形態において、装置１００は、周囲の環境条件が、約２５℃において約５０％ＲＨ（Ｒｅｌａｔｉｖｅ  Ｈｕｍｉｄｉｔｙ：相対湿度）超の湿度である場合に、稼働する。装置１００は、例えば、装置１００とは別個の湿度センサによって感知された周囲の環境条件が約２５℃において約５０％ＲＨ超である場合にのみ、所定乾燥度のガス５５を噴射する。必要に応じて、装置１００は、例えば、装置１００に設けられた湿度センサによって感知された周囲の環境条件が約２５℃において約５０％ＲＨ超の湿度である場合にのみ、所定乾燥度のガス５５を噴射する。
【００３９】
所定乾燥度のガス５５は、所定ＲＨとすることができ、これは、装置１００が稼働する部屋の湿度よりも低い湿度に相当する。例えば、所定乾燥度のガス５５は、約１０％ＲＨ〜約３０％ＲＨの湿度とすることができる。さらに、１以上の実施形態において、所定乾燥度のガス５５の噴射によって、湿度を好ましくは５０％ＲＨ未満に、より好ましくは約１０％ＲＨ〜約３０％ＲＨに下げることができる。
【００４０】
所定乾燥度のガス５５は、堆積面４、及び／又は、装置１００から噴射された帯電溶液５０に向けて噴射される。装置１００の１つまたは複数のガス噴射部（図１には図示せず）の構成は、１以上の実施形態において、帯電溶液５０の１つまたは複数の噴射方向を規定する。
【００４１】
１以上の実施形態において、所定乾燥度のガス５５が所定方向に噴射され、所定乾燥度のガス５５がノズル１０２の開口（又は複数の開口）の近傍に供給される。必要に応じて、開口（又は複数の開口）の近傍とは、ノズル開口部の前方及び／又はノズル１０２の軸方向におけるノズル１０２の先端である。例えば、ノズル開口部の正面とは、ノズル１０２の軸方向におけるノズル１０２の先端から、好ましくは約０ｍｍ〜約２００ｍｍ、より好ましくは約０ｍｍ〜約１００ｍｍ、さらに好ましくは約０ｍｍ〜約５０ｍｍの位置である。追加として、または代替として、ノズル開口部の近傍又はノズル先端は、堆積面４からノズル先端までのいかなる位置をも含む。例えば、堆積面４はノズル先端から３０ｍｍ程度離れていてもよい。
【００４２】
１以上の実施形態において、所定乾燥度のガス５５は、所定軸方向に噴射され、この所定軸方向は、ガス噴射部１０３の噴射口の軸に相当し、帯電溶液５０がノズル１０２から噴射される方向と同じ方向又はほぼ同じ方向である。１以上の実施形態において、所定軸方向は、帯電溶液５０がノズル１０２から噴射される軸方向と平行でなくてもよい。必要に応じて、所定乾燥度のガス５５は、所定焦点（図１に図示せず）に向けてもよい。１以上の実施形態において、所定焦点は、ノズル先端部、ノズル先端部の前方又はノズル先端部の後方にあってもよい。所定焦点は、ノズル先端部から、ノズル１０２の前方及び軸方向に、約０ｍｍ〜約２００ｍｍ、好ましくは約０ｍｍ〜約１００ｍｍ、より好ましくは約０ｍｍ〜約５０ｍｍ、さらに好ましくは約３０ｍｍとしてもよい。必要に応じて、焦点は、ノズル開口部の中心軸と一致してもよい。したがって、１以上の実施形態において、所定乾燥度のガス５５を噴射させて、ノズル１０２から噴射された帯電溶液５０及び／又はノズル１０２と堆積面４との間の帯電溶液５０の通路と合流させる。例えば、所定乾燥度のガス５５は、ノズル１０２から噴射された帯電溶液５０と合流しても、あるいは、ノズル先端の開口からノズル１０２の軸方向において約２００ｍｍ離れた帯電溶液の通路と合流してもよい。追加として、または代替として、所定乾燥度のガス５５は、堆積面４で帯電溶液５０と合流していてもよい。
【００４３】
必要に応じて、１以上の実施形態において、所定乾燥度のガス５５は、帯電溶液５０が噴射される前に噴射してもよい。そして、帯電溶液５０は、所定乾燥度のガス５５が噴射されている間に噴射してもよいし、これに代えて、帯電溶液５０が噴射される前に所定乾燥度のガス５５の噴射を止めてもよい。また、１以上の実施形態において、所定乾燥度のガス５５は、帯電溶液５０が噴射されている間に噴射を止めてもよいし、その逆であってもよい。したがって、噴射サイクルの間、所定乾燥度のガス５５及び帯電溶液５０は、開始時間及び／又は停止時間は異なるものの、一緒に噴射されてもよい。あるいは、これに代えて、所定乾燥度のガス５５の噴射と、帯電溶液５０の噴射とは一緒でなくてもよい。電気回路１０６のコントローラは、所定乾燥度のガス５５及び帯電溶液５０の噴射のタイミングを制御する。必要に応じて、噴射のタイミングは、ユーザインタフェース１０４を用いてユーザ１が変更してもよい。
【００４４】
図２は、図１に記載の装置１００等の、本発明の１以上の実施形態に係る装置の一部のブロック図である。同様に、図３は、図１に記載の装置１００等の、本発明の１以上の実施形態に係る装置の図である。
【００４５】
一般的に、図２及び図３は、帯電溶液５０を噴射するための構成要素の例及び典型的な構成を示す。図３は、帯電溶液５０及び所定乾燥度のガス５５を噴射するための構成要素の例及び典型的な構成を示す。
【００４６】
特に、図２には、低電圧電源１１０、高電圧電源１１１、高圧抵抗器１１２、パワースイッチＳＷ、コントローラ１１３、コントローラ１１４、高圧電極１０５、溶液貯蔵部１０７及びモータ１１５が示されている。必要に応じて、低電圧電源１１０、高電圧電源１１１、高圧抵抗器１１２、パワースイッチＳＷ及びコントローラ１１３のうち１つまたは複数が、電源１０９の一部であってもよい。さらに、必要に応じて、パワースイッチＳＷは、ユーザインタフェース１０４と接続していてもよい。低電圧電源１１０は、幹線又はバッテリから供給されてもよく、比較的低い電圧、例えば、約３ＶＤＣ〜約９ＶＤＣを出力する電源であってもよい。そのような電圧は、パワースイッチＳＷが閉じられているときにコントローラ１１３に供給される（例えば、ユーザ１が、インターフェース１０４を稼働させて、所定乾燥度のガス５５の有無にかかわらず、帯電溶液５０を噴射するとき）。コントローラ１１３は、明確に区別できる複数のコントローラとして表現してもよいが、別々の比較的低い電圧を供給して、サーボモータであるモータ１１５を制御し、高電圧電源１１１により高圧電極１０５に供給される比較的高い電圧に変換する。あるいは、コントローラ１１３及びコントローラ１１４は、単一のコントローラであってもよい。さらに、単一のコントローラは、所定乾燥度のガス５５の噴射を制御してもよい。あるいは、別々のコントローラが、所定乾燥度のガス５５の噴射を制御してもよい。また、１以上の実施形態において、所定乾燥度のガス５５の噴射を制御するコントローラは、単にフィジカルコントローラ、例えば、ユーザインタフェース１０４のコントロールインタフェースの操作に反応して開閉するバルブであってもよい。
【００４７】
高圧電極１０５は中空であっても、導電性であってもよい。例えば、高圧電極１０５は、いわゆる針電極であってもよい。したがって、高圧電極１０５は、溶液の流路、及び高電圧ＨＶにより発生した電界によって生じた電荷を溶液に注入する導電面として機能する。より具体的には、本発明の１以上の実施形態において、高圧電極１０５は、ノズル１０２の一部であってもよく、中空であり、溶液貯蔵部１０７から溶液を受け取り、その溶液をノズル１０２のノズル先端部又はノズル先端部の直前に噴射する。一般的に、高圧電極１０５及びノズル先端部によって形成される流路は、実質的な方法で溶液と化学的に又は生理化学的に反応しないか、または、溶液と実質的に反応しない物質によって形成される。
【００４８】
高電圧電源１１１は、コントローラ１１３からの比較的低い電圧（例えば、約０〜約９ＶＤＣ）を比較的高い電圧、特に比較的高いＤＣ電圧に変換する変圧器を有するか、変圧器に接続される。高電圧は、溶液のテーラーコーンを生成できる電界を発生させるのに十分に高い電圧でなければならず、また、溶液を帯電させ、寄生損失／キャパシタンスを克服するのに十分な電流供給がなされる必要がある。したがって、本発明の１以上の実施形態では、高電圧電源１１１は、十分な電流出力を伴った高電圧を生成して、所望の電界紡糸を行う。高ＤＣ電圧は、好ましくは約１４ｋＶＤＣであり、より好ましくは約１１ｋＶＤＣ〜約１４ｋＶＤＣであり、さらに好ましくは約１０ｋＶＤＣ〜約１６ｋＶＤＣである。必要に応じて、高電圧は、例えば、好ましくは１１ｋＶＤＣ〜約１４ｋＶＤＣ、より好ましくは約１０ｋＶＤＣ〜約１６ｋＶＤＣに制御される。高圧抵抗器１１２の値は、高圧電極１０５に供給される高電圧に基づいて決定される。例えば、高圧抵抗器１１２の値は、本発明を何ら制限するものではいが、約２００ＭΩとすることができる。
【００４９】
よって、ユーザ１が、ユーザインタフェース１０４からコントロールインプットを与えると、高電圧電源１１１から高電圧ＨＶが発生し、したがって、高電圧ＨＶに対応する電界が、高圧電極１０５内の溶液中及びその周囲に印加され、モータ１１５が駆動して溶液貯蔵部１０７から高圧電極１０５に溶液を送り出し、その結果、帯電溶液５０が、ノズル１０２から電界紡糸の形態で噴射される。コントローラ１１４は、ユーザインタフェース１０４に対するコントロールインプットに基づいて、モータ１１５を制御して、溶液貯蔵部１０７から高圧電極１０５へ溶液を送り出す。
【００５０】
本体１０１のユーザインタフェース１０４は、トリガー又はスイッチであり、例えば、触覚スイッチ又はトリガーである。例えば、ユーザインタフェース１０４は、ユーザ１による入力、例えば、ユーザ１の指または親指による入力により起動し、装置１００を起動する。具体的には、ユーザ１が、ユーザインタフェース１０４を起動して、モータ１１５を起動し、溶液をノズル１０２へ送り出して、ノズル１０２から噴射させるか、または、高電圧ＨＶを生成して、高電圧ＨＶに対応する電界を発生させて溶液に印加するか、または、その双方を行うことができる。一般に、ユーザインタフェース１０４は、例えば、ノズル１０２から十分に離れて配置され、干渉を防止する。ユーザインタフェース１０４は、ノズル１０２から約４４ｍｍ離して配置されるが、これには限定されない。
【００５１】
モータ１１５は、例えば、ステッピングモータであっても、上述したとおとり、サーボモータであってもよく、モータ１１５は、アクチュエータ１１６を駆動し、アクチュエータ１１６は、リニアアクチュエータである。ユーザインタフェース１０４を操作して、モータ１１５及びアクチュエータ１１６を制御できる。一般的には、アクチュエータ１１６を起動すると、プランジャが溶液貯蔵部１０７に対して駆動され、高電圧ＨＶを印加するために、溶液貯蔵部１０７から、例えば、高圧電極１０５を介して、ノズル１０２へ溶液が吐出され、帯電溶液５０としてノズル１０２から噴射される。必要に応じて、モータ１１５は、例えば、電気回路１０６を用いてプログラムで制御できる。そのようなプログラムを組むことで、特定の利用条件に基づいて使用することとなる、異なった流れプロファイルを提供することが可能となり、特定の利用条件には、環境、適用される溶液の種類、印加する高電圧等が含まれる。必要に応じて、アクチュエータ１１６を制御して、電界紡糸操作前に、溶液流路から空気を除去して、ハンドセット１００を準備する。
【００５２】
モータ１１５及びアクチュエータ１１６は、逆吸引を行わないようにしてもよい。すなわち、１以上の実施形態において、溶液の逆吸引はしなくてもよい。それに代えて、モータ１１５及びアクチュエータ１１６は、例えば、所定継続時間において逆吸引を実行するように制御してもよい。所定継続時間は、ノズル１０２から帯電溶液５０の噴射が止まった後、好ましくは約０．１秒、より好ましくは０．５秒である。
【００５３】
コントローラ１１４等の、１以上のコントローラを含む電気回路１０６は、上述したとおり、ノズル１０２及びガス噴射部１０３から、帯電溶液５０及び／又は所定乾燥度のガス５５をそれぞれ、制御して噴射する。さらに、１以上の実施形態において、電気回路１０６は、帯電溶液５０を噴射する速度の変更、帯電溶液５０の噴射量の変更、帯電溶液５０の噴射周期、及び帯電溶液５０の噴射タイミングのうちの一つ以上を、例えば、所定乾燥度のガス５５の噴射に対して制御できる。同様に、追加として、または代替として、電気回路１０６は、所定乾燥度のガス５５の噴射速度の変更、所定乾燥度のガス５５の噴射量の変更、所定乾燥度のガス５５の噴射周期、及び所定乾燥度のガス５５の噴射タイミングのうち一つ以上を制御できる。
【００５４】
１以上の実施形態において、電気回路１０６は、噴射サイクルにおいて、所定乾燥度のガス５５をガス噴射部１０３から噴射するように制御し、それに続き、帯電溶液５０をノズル１０２のノズル開口部から噴射するように制御すると同時に、所定乾燥度のガス５５をガス噴射部１０３から噴射するように制御する。例えば、帯電溶液５０がノズル開口部から噴射される前に、約０．１〜約１．０秒の間、ガス噴射１０３から所定乾燥度のガス５５が噴射される。追加として、または代替として、電気回路１０６は、噴射サイクルにおいて、ガス噴射部１０３からの所定乾燥度のガス５５の噴射を停止させてから、ノズル開口部からの帯電溶液５０の噴射を停止させる。必要に応じて、噴射サイクルの間、電気回路１０６は、所定乾燥度のガス５５を制御して、連続的なオンオフおよびパルス的なオンオフのいずれかによりガス噴射部１０３から噴射される。さらに、電気回路１０６は、噴射サイクルの間、ガス噴射部１０３から所定乾燥度のガス５５を所定第１時間噴射させ、ノズル開口部から帯電溶液５０を所定第２時間噴射させる。所定第１時間は、所定第２時間とは異なる。例えば、所定第１時間は、所定第２時間よりも短くても、長くてもよい。これとは異なり、所定第１時間と所定第２時間とは、同じでもよい。
【００５５】
図４を参照すると、図４は、本発明の１以上の実施形態に係る装置又はシステム４００（以下、「装置」という）の図である。装置４００は、図４に示す構成要素、特に、本体４０１、ノズル４０２、ガス噴射部４０３、電気回路４０６、ガス供給部４０８及び溶液貯蔵部又は溶液供給部４０７を有する。もちろん、装置４００は、図示されていない他の構成要素を有していてもよく、例えば、上述した装置１００の構成要素のいくつか又は全てを含んでいてもよい。さらに、装置４００は、装置１００と同じか、又は実質的に同じように動作する。上述した装置１００と同様に、装置４００は、堆積面４（例えば、人間の皮膚）に帯電溶液５０を堆積させるために、帯電溶液５０及び所定乾燥度のガス５５を制御して噴射し、所定乾燥度のガス５５は、帯電溶液５０が噴射されるノズル４０２のノズル先端の近傍に供給される。
【００５６】
装置４００においては、ガス噴射部４０３は、ノズル４０２のノズル開口部に対して後ろ側に配置されていてもよい。例えば、１以上の実施形態において、ノズル先端部は、ガス噴射部４０３よりも、装置４００の本体４０１から突出している。さらに、ガス噴射部４０３は、図４に示すとおり、ノズル４０２に対して側面視でオフセットされている。追加として、または代替として、装置４００の正面図又は端面図において、ガス噴射部４０３の中心軸は、ノズル開口部の中心軸から所定距離Ｄ１オフセットされている。図５Ｂは、距離Ｄ１の一例を示し、距離Ｄ１は、約５ｍｍ〜約１５０ｍｍ、より好ましくは約７ｍｍ〜約２０ｍｍである。さらに、必要に応じて、装置４００の正面図又は端面図において、ガス噴射部４０３は、図５Ｂに示すとおり、ノズル４０２のノズル開口部とは重ならない。
【００５７】
この他にも、ガス噴射部４０３は、ノズル４０２のノズル開口部と重なってもよく、例えば、図６Ｂに示すとおり、同心円状に並んでいてもよい。すなわち、装置４００の正面図において、ガス噴射部４０３の中心軸は、ノズル４０２のノズル開口部の中心軸と一致している。
【００５８】
図４、５Ａ及び５Ｂに示すように、装置４００は、開口部が一つのガス噴射部４０３を有している。すなわち、ガス噴射部４０３は、所定乾燥度のガス５５を噴射する一つの開口部を有する。例えば、一つの開口部は、円形又は楕円形である。その他に、一つの開口部は、直線又は曲線の連続スリットであってもよい。必要に応じて、一つの開口部は、装置４００の正面図において、ノズル４０２の周りを全体的に又は部分的に走る連続スリットであってもよい。すなわち、連続スリットは、装置４００の正面図において、ノズル開口部を部分的に又は完全に取り囲んでいてもよい。連続スリットの最大幅は、好ましくは約０．２ｍｍ〜約５ｍｍである。これに代えて、ガス噴射部４０３は、所定乾燥度のガス５５を噴射する複数の開口部を有してもよい。必要に応じて、複数の開口は、図６Ｂに示したように、ノズル開口部の周囲に均等に配置される。さらに、ガス噴射部４０３が、開口部を一つのみ有するか、複数有するかにかかわらず、ガス噴射部４０３の全ての開口部の断面積の合計は、ノズル４０２のノズル開口部の断面積の合計よりも大きい。
【００５９】
本発明の１以上の実施形態によれば、ノズル４０２又はノズル４０２の一部は、本体４０１に対して取り外し可能となっている。さらに、ノズル４０２は、非導電性材料又は絶縁性材料で形成されている。例えば、非導電性材料又は絶縁性材料は、樹脂又はプラスチック（又はそれらの組合せ若しくは混合物）のいずれかであってもよい。より具体的な例としては、ノズル４０２は、ポリテトラフルオロエチレン（ＰＴＦＥ）及び／又はポリプロピレン（ＰＰ）で製造されるか、または、それらを含む。
【００６０】
図７は、本発明の１以上の実施形態に係る装置７００の側断面図である。装置７００は、装置４００の変形例である。
【００６１】
装置７００は、図７に示す構成要素、特に、本体７０１、ノズル７０２、ガス噴射部７０３及びガス供給部７０８を有する。もちろん、装置７００は、図示されていない他の構成要素を有していてもよく、例えば、上述した装置１００又は装置４００の構成要素のいくつか又は全てを含んでいてもよい。さらに、装置７００は、装置１００及び装置４００と同じか、又は実質的に同じように動作する。上述した装置１００と同様に、装置７００は、堆積面４（例えば、人間の皮膚）に帯電溶液５０を堆積させるために、帯電溶液５０及び所定乾燥度のガス５５を制御して噴射し、所定乾燥度のガス５５は、帯電溶液が噴射されるノズル７０２のノズル先端の近傍に供給される。
【００６２】
装置７００においては、ガス噴射部７０３は、ノズル７０２のノズル開口部に対して後ろ側に配置されていてもよい。例えば、１以上の実施形態において、ノズル先端部は、ガス噴射部７０３よりも、装置７００の本体７０１から突出している。ガス吐出口７０３は、ノズル７０２のノズル開口部と重なってもよく、例えば、同心円状に並んでいてもよい。すなわち、装置７００の正面図において、ガス噴射部７０３の中心軸は、ノズル７０２のノズル開口部の中心軸と一致している。さらに、装置７００は、開口部が一つのガス噴射部４０３を有している。すなわち、ガス噴射部７０３は、所定乾燥度のガス５５を噴射する一つの開口部を有する。例えば、一つの開口部は、直線又は曲線の連続スリットであってもよい。必要に応じて、一つの開口部は、装置７００の正面図において、ノズル７０２の周りを全体的に又は部分的に走る連続スリットであってもよい。すなわち、連続スリットは、装置７００の正面図において、ノズル開口部を部分的に又は完全に取り囲んでいてもよい。
【００６３】
これに代えて、ガス噴射部７０３は、所定乾燥度のガス５５を噴射する複数の開口部、例えば、２個の開口部を有していてもよい。必要に応じて、複数の開口は、ノズル開口部の周囲に、例えば、装置７００の正面図におけるノズル７０２の反対側に、均等に配置される。さらに、ガス噴射部７０３が、開口部を一つのみ有するか、複数有するかにかかわらず、ガス噴射部７０３の全ての開口部の断面積の合計は、ノズル７０２のノズル開口部の断面積の合計よりも大きい。
【００６４】
図８Ａ及び８Ｂは、本発明の１以上の実施形態に係る噴射のタイミングを図示する透視断面図である。同様に図９Ａ〜９Ｃは、例えば、本発明の１以上の実施形態に係るタイミングを含む例示的な流れの様子を示す側面図である。
【００６５】
必要に応じて、１以上の実施形態において、図８Ａに示すように、帯電溶液５０の噴射の前に所定乾燥度のガス５５を噴射する。図８Ｂに示すように、所定乾燥度のガス５５が噴射されている間に、帯電溶液５０を噴射する。これに代えて、帯電溶液５０が噴射される前に、所定乾燥度のガス５５の噴射を止めてもよい。また、１以上の実施形態において、所定乾燥度のガス５５は、帯電溶液５０が噴射されている間に、噴射を止めても、又はこの逆であってもよい。したがって、噴射サイクルの間、所定乾燥度のガス５５及び帯電溶液５０は、噴射の開始時間及び停止時間は異なるけれども、同時に噴射されてもよい。または、これに代えて、所定乾燥度のガス５５の噴射と、帯電溶液５０の噴射とは重ならなくてもよい。さらに他の態様として、図９Ａに示すように、帯電溶液５０は、所定乾燥度のガス５５の噴射前に噴射される。そして、帯電溶液５０が噴射されている間に、所定乾燥度のガス５５が噴射される。図８Ａ、図８Ｂ、図９Ｂ及び図９Ｃに示したように、所定乾燥度のガス５５の噴射により、異なる湿度値の湿度領域がもたらされる。これらの図においては、所定乾燥度のガス５５を取り囲み、そこから外方に伸びる線は、所定乾燥度のガス５５の噴射から生じる例示的な湿度勾配を表す。例えば、所定乾燥度のガス５５をすぐに取り囲む空間の湿度は、約１０％ＲＨ〜約３０％ＲＨとすることができ、直前の空間ガスを取り囲む空間の湿度は、約５０％ＲＨとすることができる。
【００６６】
図１０は、本発明の１以上の実施形態に係る方法１０００の基本的なフローチャートである。
【００６７】
ステップ１００２において、方法１０００は、本発明の１以上の実施形態に係る装置又はシステムを提供する。
【００６８】
ステップ１００４において、方法１０００は、例えば、本明細書に記載されているように、提供された装置またはシステムの使用を提供する。かかる使用には、ユーザの皮膚等の堆積面４に溶液を堆積させることを含む。必要に応じて、電界紡糸溶液は、すでに皮膚に塗られた化粧品の上に堆積させてもよい。あるいは、電界紡糸溶液を皮膚に直接堆積させてもよい。必要に応じて、皮膚に直接堆積させた溶液上に、別の層（又は複数層）、例えば、化粧層を設けてもよい。したがって、１以上の実施形態では、堆積した電界紡糸溶液は、ベース層又は上層、例えば、中間層又は外層のいずれかとして、いわゆる多層塗布の一部を形成してもよい。
【００６９】
本明細書に記載されているように、前に、間に及び／又は後に、所定乾燥度のガスは、電界紡糸装置のノズルの近傍、ノズルから噴射された帯電溶液の近傍、ノズルと堆積面との間の溶液通路の近傍、及び／又は堆積面の近傍に噴射される。所定乾燥度のガスの噴射は、電界紡糸装置のノズルの近傍の空気の湿度、ノズルから噴射された帯電溶液の近傍の空気の湿度、ノズルと堆積面との間の溶液通路の近傍の空気の湿度、及び／又は堆積面の近傍の空気の湿度を低下させる。さらに、湿度が一旦低下すると、１以上の実施形態において、連続的又は周期的な所定乾燥度のガスの噴射によって、低下した湿度レベルに維持されるか、又は実質的に維持される（例えば、所定範囲内で）。
【００７０】
本発明の実施形態は、下記の段落の括弧付き番号に従って説明することが可能である。
【００７１】
（１）帯電溶液及び所定乾燥度のガスを制御して噴射する装置であって、装置は、ノズルであって、ノズルのノズル先端に位置するノズル開口部から帯電溶液を噴射するノズルと、ノズルに対して配置され、噴射口から、所定乾燥度のガスを所定基準速度で所定方向に噴射し、所定乾燥度のガスをノズル開口部の近傍に供給するガス噴射部とを有し、ガス噴射部は、ノズル開口部の位置、ノズル開口部の前方又は後方の焦点に向けて所定乾燥度のガスを所定方向に噴射する、装置。
【００７２】
（２）所定乾燥度のガスは、帯電溶液の噴射前に噴射される、（１）に記載の装置。
【００７３】
（３）所定乾燥度のガス及び帯電溶液は、同時に噴射される、（１）又は（２）に記載の装置。
【００７４】
（４）ノズル先端は、ガス噴射部よりも装置本体から突出している、（１）〜（３）のいずれか１つに記載の装置。
【００７５】
（５）ガス噴射部は、ノズルのノズル開口部に対して後ろ側に配置されている、（１）〜（４）のいずれか１つに記載の装置。
【００７６】
（６）装置は、電界紡糸装置である、（１）〜（５）のいずれか１つに記載の装置。
【００７７】
（７）装置は、携帯用の、手持ち式の装置である、（１）〜（６）のいずれか１つに記載の装置。
【００７８】
（８）装置の正面図において、ガス噴射部の中心軸は、ノズル開口部の中心軸から所定距離オフセットされている、（１）〜（７）のいずれか１つに記載の装置。
【００７９】
（９）オフセットは、好ましくは約５ｍｍ〜約１５０ｍｍ、より好ましくは約７ｍｍ〜約２０ｍｍである、（１）〜（８）のいずれか１つに記載の装置。
【００８０】
（１０）装置の正面図において、ガス噴射部は、ノズル開口部とは重ならない、（１）〜（９）の何れか１に記載の装置。
【００８１】
（１１）装置の正面図において、ガス噴射部の中心軸は、ノズル開口部の中心軸と一致している、（１）〜（１０）のいずれか１つに記載の装置。
【００８２】
（１２）装置の正面図において、ガス噴射部の中心軸は、ノズル開口部の中心軸と同心円状に並んでいる、（１）〜（１１）のいずれか１つに記載の装置。
【００８３】
（１３）装置の正面図において、ガス噴射部は、ノズル開口部から所定最小距離離れている、（１）〜（１２）のいずれか１つに記載の装置。
【００８４】
（１４）所定最小距離離は、好ましくは約５ｍｍ〜約１５０ｍｍ、より好ましくは約７ｍｍ〜約２０ｍｍである、（１）〜（１３）のいずれか１つに記載の装置。
【００８５】
（１５）ガス噴射部は、一つのガス噴射部開口部からなる、（１）〜（１４）のいずれか１つに記載の装置。
【００８６】
（１６）一つのガス噴射部開口部は、連続スリットの形状である、（１）〜（１５）のいずれか１つに記載の装置。
【００８７】
（１７）連続スリットの最大幅は、好ましくは約０．２ｍｍ〜約５ｍｍである、（１）〜（１６）のいずれか１つに記載の装置。
【００８８】
（１８）ガス噴射部は、一つのガス噴射部開口部からなり、装置の正面図において、一つのガス噴射部開口部は、ノズル開口部を部分的に又は完全に取り囲む、（１）〜（１７）のいずれか１つに記載の装置。
【００８９】
（１９）一つのガス噴射部開口部は、連続スリットの形状である、（１）〜（１８）のいずれか１つに記載の装置。
【００９０】
（２０）連続スリットの最大幅は、好ましくは約０．２ｍｍ〜約５ｍｍである、（１）〜（１９）のいずれか１つに記載の装置。
【００９１】
（２１）ガス噴射部は、複数のガス噴射部開口部を含む、（１）〜（２０）のいずれか１つに記載の装置。
【００９２】
（２２）複数のガス噴射部開口部は、ノズル開口部の周囲に均等に配置されている、（１）〜（２１）のいずれか１つに記載の装置。
【００９３】
（２３）ノズル開口部の近傍は、ノズル開口部の前方を含む、（１）〜（２２）のいずれか１つに記載の装置。
【００９４】
（２４）ノズル開口部の前方は、ノズルの軸方向において、ノズル先端からノズル先端から約２００ｍｍ以下までを含む、（１）〜（２３）のいずれか１つに記載の装置。
【００９５】
（２５）ノズル開口部の近傍は、帯電溶液の堆積面を含む、（１）〜（２４）のいずれか１つに記載の装置。
【００９６】
（２６）堆積面は、ノズル先端から約３０ｍｍ離れている、（１）〜（２５）のいずれか１つに記載の装置。
【００９７】
（２７）焦点は、ノズルの軸方向において、ノズル先端とノズル先端から約２００ｍｍ離れた位置との間にある、（１）〜（２６）のいずれか１つに記載の装置。
【００９８】
（２８）ガス噴射部は、ノズル開口部の中心軸と一致するノズル開口部の前方の焦点に向けて、所定乾燥度のガスを所定方向に噴射する、（１）〜（２７）のいずれか１つに記載の装置。
【００９９】
（２９）焦点は、ノズルの軸方向において、ノズル先端とノズル先端から約３０ｍｍ離れた位置との間にある、（１）〜（２８）のいずれか１つに記載の装置。
【０１００】
（３０）ガス噴射部は、所定乾燥度のガスが、ノズル開口部及び／又はノズル開口部の前方に位置するように、所定乾燥度のガスをノズルに向けて前記所定の方向に噴射する、（１）〜（２９）のいずれか１つに記載の装置。
【０１０１】
（３１）ガス噴射部は、帯電溶液が、ノズル開口部から噴射される方向とは平行でない所定方向に、所定乾燥度のガスを噴射する、（１）〜（３０）のいずれか１つに記載の装置。
【０１０２】
（３２）ガス噴射部は、所定乾燥度のガスが、ノズル開口部から噴射された帯電溶液とノズル先端において合流するように、所定乾燥度のガスを噴射する、（１）〜（３１）のいずれか１つに記載の装置。
【０１０３】
（３３）所定乾燥度のガスは、ノズル先端と、ノズル先端からノズルの軸方向に約３０ｍｍ離れた位置との間で、帯電溶液と合流する、（１）〜（３２）のいずれか１つに記載の装置。
【０１０４】
（３４）所定乾燥度のガスは、帯電溶液の堆積面で帯電溶液と合流する、（１）〜（３３）のいずれか１つに記載の装置。
【０１０５】
（３５）ガス噴射部の全ての開口の断面積の合計は、ノズル開口部の断面積の合計よりも大きい、（１）〜（３４）のいずれか１つに記載の装置。
【０１０６】
（３６）所定乾燥度のガスは、空気、圧縮空気、Ｏ２、Ｎ２、Ａｒ、Ｈｅ及びＣＯ２のうちの１以上を含有する、（１）〜（３５）のいずれか１つに記載の装置。
【０１０７】
（３７）装置は、周囲の環境条件が約２５℃で約５０％ＲＨ以上であるときに動作する、（１）〜（３６）のいずれか１つに記載の装置。
【０１０８】
（３８）所定乾燥度のガスは、ノズル先端の前方の湿度を低下させる、（１）〜（３７）のいずれか１つに記載の装置。
【０１０９】
（３９）湿度を５０％ＲＨ未満に低下させる、（１）〜（３８）のいずれか１つに記載の装置。
【０１１０】
（４０）湿度を約１０％ＲＨ〜約３０％ＲＨに低下させる、（１）〜（３９）のいずれか１つに記載の装置。
【０１１１】
（４１）所定乾燥度のガスの湿度は、装置が動作する部屋の湿度未満である、（１）〜（４０）のいずれか１つに記載の装置。
【０１１２】
（４２）所定乾燥度のガスの湿度は、約１０％ＲＨ〜約３０％ＲＨである、（１）〜（４１）のいずれか１つに記載の装置。
【０１１３】
（４３）所定乾燥度は、所定ＲＨであり、装置は、所定ＲＨのガスを噴射して、ノズル先端の周囲の空気のＲＨ、噴射された帯電溶液の周囲の空気のＲＨ、及び／又は噴射された帯電溶液と帯電溶液の堆積面との間の通路又は意図された通路の周囲の空気のＲＨに作用させる、（１）〜（４２）のいずれか１つに記載の装置。
【０１１４】
（４４）所定乾燥度のガスは、装置が動作する部屋の湿度未満の湿度を有する、（１）〜（４３）のいずれか１つに記載の装置。
【０１１５】
（４５）所定乾燥度のガスは、約１０％ＲＨ〜約３０％ＲＨの湿度を有する、（１）〜（４４）のいずれか１つに記載の装置。
【０１１６】
（４６）装置は、ノズル開口部から堆積面に向けて帯電溶液を噴射する、（１）〜（４５）のいずれか１つに記載の装置。
【０１１７】
（４７）堆積面は、人間の皮膚である、（１）〜（４６）のいずれか１つに記載の装置。
【０１１８】
（４８）帯電溶液として噴射される溶液は、装置の溶液貯蔵部から排出され、溶液は、化粧品処方である、（１）〜（４７）のいずれか１つに記載の装置。
【０１１９】
（４９）帯電溶液として噴射される溶液は、ポリマ溶液である、（１）〜（４８）のいずれか１つに記載の装置。
【０１２０】
（５０）ポリマ溶液は、コーティング形成能を有する水不溶性ポリマである、（１）〜（４９）のいずれか１つに記載の装置。
【０１２１】
（５１）コーティング形成能を有する水不溶性ポリマは、コーティング形成後に不溶化できる完全鹸化ポリビニルアルコール、架橋剤と併用することでコーティング形成後に架橋できる部分鹸化ポリビニルアルコール、ポリ（Ｎ−プロパノイルエチレンイミン）グラフト−ジメチルシロキサン／γ−アミノプロピルメチルシロキサン共重合体を含むオキサゾリン変性シリコーン、ポリビニルアセタールジエチルアミノアセテート、ゼイン（とうもろこし蛋白質の主要成分）、ポリエステル、ポリ乳酸（ＰＬＡ）、ポリアクリロニトリル樹脂またはポリメタクリル酸樹脂を含むアクリル樹脂、ポリスチレン樹脂、ポリビニルブチラール樹脂、ポリエチレンテレフタレート樹脂、ポリブチレンテレフタレート樹脂、ポリウレタン樹脂、ポリアミド樹脂、ポリイミド樹脂、ポリアミドイミド樹脂、及びポリビニルブチラール樹脂からなる群から選択される、（１）〜（５０）のいずれか１つに記載の装置。
【０１２２】
（５２）帯電溶液として噴射される溶液は、成分（ａ）、成分（ｂ）、及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマである、（１）〜（５１）のいずれか１つに記載の装置。
【０１２３】
（５３）アルコールは、１以上の鎖式脂肪族一価アルコール、１以上の環式脂肪族一価アルコール、及び／又は、１以上の芳香族一価アルコールを含み、ケトンは、アセトン、メチルエチルケトン及びメチルイソブチルケトンのうちの１以上を含む、（１）〜（５２）のいずれか１つに記載の装置。
【０１２４】
（５４）アルコールは、エタノール、イソプロピルアルコール、及びブチルアルコールから選択される少なくとも１つからなる、（１）〜（５３）のいずれか１つに記載の装置。
【０１２５】
（５５）アルコールは、エタノール、及びブチルアルコールから選択される少なくとも１つからなる、（１）〜（５４）のいずれか１つに記載の装置。
【０１２６】
（５６）アルコールは、エタノールからなる、（１）〜（５５）のいずれか１つに記載の装置。
【０１２７】
（５７）所定乾燥度のガスは、所定速度で噴射され、所定速度は、噴射口の断面積に基づいて、約０．０５ｍ／秒〜約１０ｍ／秒又は約０．１５ｍ／秒〜約１ｍ／秒の範囲である、（１）〜（５６）のいずれか１つに記載の装置。
【０１２８】
（５８）所定乾燥度のガスは、帯電溶液に向けて、ガス噴射部から所定速度で噴射され、所定速度は、噴射された帯電溶液の流れを変えない速度であるか、又は噴射された帯電溶液の流れの形状を変形させない速度である、（１）〜（５７）のいずれか１つに記載の装置。
【０１２９】
（５９）帯電溶液及び／又は所定乾燥度のガスを制御して、噴射するコントローラをさらに有する、（１）〜（５８）のいずれか１つに記載の装置。
【０１３０】
（６０）コントローラは、帯電溶液のみを制御して、噴射する、（１）〜（５９）のいずれか１つに記載の装置。
【０１３１】
（６１）コントローラは、所定乾燥度のガスのみを制御して、噴射する、（１）〜（６０）のいずれか１つに記載の装置。
【０１３２】
（６２）帯電溶液を制御して、噴射するコントローラをさらに有し、制御して、噴射することは、帯電溶液が噴射される速度の変更、噴射される帯電溶液の量の変更、帯電溶液が噴射される周期、及び帯電溶液が噴射されるタイミングのうち一つ以上を包む、（１）〜（６１）のいずれか１つに記載の装置。
【０１３３】
（６３）所定乾燥度のガスを制御して、噴射するコントローラをさらに有し、制御して、噴射することは、所定乾燥度のガスが噴射される速度の変更、噴射される所定乾燥度のガスの量の変更、所定乾燥度のガスが噴射される周期、及び所定乾燥度のガスが噴射されるタイミングのうち一つ以上を包含する、（１）〜（６２）のいずれか１つに記載の装置。
【０１３４】
（６４）帯電溶液を制御して、噴射するコントローラであって、制御して、噴射することは、帯電溶液が噴射される速度の変更、噴射される帯電溶液の量の変更、帯電溶液が噴射される周期、帯電溶液が噴射されるタイミングの一つ以上を包む、コントローラと、所定乾燥度のガスを制御して、噴射するコントローラであって、所定乾燥度のガスが噴射される速度の変更、噴射される所定乾燥度のガスの量の変更、所定乾燥度のガスが噴射される周期、及び所定乾燥度のガスが噴射されるタイミングのうち一つ以上を包む、コントローラと、をさらに有する、（１）〜（６３）のいずれか１つに記載の装置。
【０１３５】
（６５）噴射サイクルの間、ガス噴射部から噴射される所定乾燥度のガスを制御するコントローラをさらに有し、ガス噴射部から所定乾燥度のガスを噴射し、それに続き、帯電溶液をノズルのノズル開口部から噴射するように制御すると同時に、所定乾燥度のガスをガス噴射部から噴射するように制御する、（１）〜（６４）のいずれか１つに記載の装置。
【０１３６】
（６６）所定乾燥度のガスが、ガス噴射部から約０．１〜約１．０秒の間噴射された後、ノズル開口部から帯電溶液を噴射する、（１）〜（６５）のいずれか１つに記載の装置。
【０１３７】
（６７）コントローラは、噴射サイクルにおいて、ガス噴射部からの所定乾燥度のガスの噴射を停止させてから、ノズル開口部からの帯電溶液の噴射を停止させる、（１）〜（６６）のいずれか１つに記載の装置。
【０１３８】
（６８）コントローラは、噴射サイクルの間、所定乾燥度のガスを制御して、連続的なオンオフ又はパルス的なオンオフのいずれかにより、所定乾燥度のガスをガス噴射部から噴射する、（１）〜（６７）のいずれか１つに記載の装置。
【０１３９】
（６９）コントローラは、噴射サイクルの間、所定度のガスを制御して、所定第１時間、所定乾燥度のガスをガス噴射部から噴射し、帯電溶液を制御して、所定第２時間、帯電溶液をノズル開口部から噴射する、（１）〜（６８）のいずれか１つに記載の装置。
【０１４０】
（７０）所定第１時間は、所定第２時間と異なっている、（１）〜（６９）のいずれか１つに記載の装置。
【０１４１】
（７１）所定第１時間は、所定第２時間よりも長い、（１）〜（７０）のいずれか１つに記載の装置。
【０１４２】
（７２）所定第１時間は、所定第２時間よりも短い、（１）〜（７１）のいずれか１つに記載の装置。
【０１４３】
（７３）所定第１時間と所定第２時間とは、同じである、（１）〜（７２）のいずれか１つに記載の装置。
【０１４４】
（７４）ノズル又はノズルの一部は、取り外し可能である、（１）〜（７３）のいずれか１つに記載の装置。
【０１４５】
（７５）帯電溶液を制御して、噴射するコントローラをさらに有し、コントローラは、装置のユーザが操作するコントロールスイッチと、コントロールスイッチに接続されて、動作し、ユーザによるコントロールスイッチの操作に基づいて、ポンプ操作を制御することによって溶液をノズルに供給し、ノズルから帯電溶液を制御して、噴射する電気回路と、を有する、（１）〜（７４）のいずれか１つに記載の装置。
【０１４６】
（７６）所定乾燥度のガスを制御して噴射するコントローラをさらに有し、コントローラは、装置のユーザが操作するコントロールスイッチと、ユーザによるコントロールスイッチの操作に基づいて、所定乾燥度のガスをガス噴射部に供給するガス供給部と、を有する、（１）〜（７５）のいずれか１つに記載の装置。
【０１４７】
（７７）帯電溶液及び所定乾燥度のガスを制御して、噴射するコントローラをさらに有し、コントローラは、装置のユーザが操作する第１コントロールスイッチと、第１コントロールスイッチに接続されて、動作し、ユーザによる第１コントロールスイッチの操作に基づいて、ポンプ操作を制御することによって溶液をノズルに供給し、ノズルから帯電溶液を制御して、噴射する電気回路と、装置のユーザが操作する第２コントロールスイッチと、ユーザによる第２コントロールスイッチの操作に基づいて、所定乾燥度のガスをガス噴射部に供給するガス供給部と、を有する、（１）〜（７６）のいずれか１つに記載の装置。
【０１４８】
（７８）帯電溶液及び所定乾燥度のガスを制御して、噴射するコントローラをさらに有し、コントローラは、装置のユーザが操作するコントロールスイッチと、コントロールスイッチに接続されて、動作し、ユーザによるコントロールスイッチの操作に基づいて、ポンプ操作を制御することによって溶液をノズルに供給し、ノズルから帯電溶液を制御して、噴射する電気回路と、ユーザによるコントロールスイッチの操作に基づいて、所定乾燥度のガスをガス噴射部に供給するガス供給部と、を有する、（１）〜（７７）のいずれか１つに記載の装置。
【０１４９】
（７９）ノズルは、非導電性材料又は絶縁性材料から形成されている、（１）〜（７８）のいずれか１つに記載の装置。
【０１５０】
（８０）非導電性材料又は絶縁性材料は、樹脂及びプラスチックのうちの一つである、（１）〜（７９）のいずれか１つに記載の装置。
【０１５１】
（８１）非導電性材料又は絶縁性材料は、ポリテトラフルオロエチレン（ＰＴＦＥ）及び／又はポリプロピレンであるか、ポリテトラフルオロエチレン（ＰＴＦＥ）及び／又はポリプロピレンを含む、（１）〜（８０）のいずれか１つに記載の装置。
【０１５２】
（８２）帯電溶液及び所定乾燥度のガスを制御して、噴射するシステムであって、システムは、帯電溶液を噴射する手段と、所定乾燥度のガスを所定乾燥度のガスを噴射する手段の噴射口において、所定基準速度で所定方向に噴射して、所定乾燥度のガスを、帯電溶液を噴射するための手段の噴射開口部の近傍に供給する、所定乾燥度のガスを噴射する手段と、を有する、システム。
【０１５３】
（８３）電界紡糸溶液及び所定乾燥度のガスを堆積面に向けて供給する携帯用の、手持ち式の電界紡糸装置であって、電界紡糸装置は、本体と、本体の先端に設けられ、ノズル開口部から堆積面に向かって電界紡糸溶液を噴射するノズルと、本体に設けられたコントロールスイッチと、本体の内部に設けられた電気回路であって、コントロールスイッチに接続されて、動作し、コントロールスイッチに対するユーザによる手動操作によって制御可能であり、電界紡糸溶液をノズルに供給するように動作するポンプを制御して電界紡糸溶液をノズルから制御して噴射し、電界紡糸溶液として噴射する電気回路と、電気回路に接続されて、制御される電源と、所定乾燥度のガスを供給するガス供給部と、ガス供給部によって供給された所定乾燥度のガスを噴射して、ノズル開口部の近傍に供給するガス噴射部と、を有し、ガス噴射部は、ノズルのノズル開口部に対して後ろ側に配置され、電気回路は、電界紡糸溶液を噴射する前に所定乾燥度のガスを噴射する、電界紡糸装置。
【０１５４】
（８４）電気回路は、電界紡糸溶液の吐出よりも前に、所定乾燥度のガスを噴射し、その後、電界紡糸溶液及び所定乾燥度のガスを同時に噴射する、（８３）に記載の電界紡糸装置。
【０１５５】
（８５）電気回路は、電界紡糸溶液の噴射を停止する前に、所定乾燥度のガスの噴射を停止する、（８３）又は（８４）に記載の電界紡糸装置。
【０１５６】
（８６）電気回路は、電界紡糸溶液の噴射を開始する前に、所定乾燥度のガスの噴射を停止する、（８３）〜（８５）のいずれか１つに記載の電界紡糸装置。
【０１５７】
（８７）電気回路は、噴射サイクルにおいて、所定乾燥度のガスを噴射し、それに続き、電界紡糸溶液及び所定乾燥度のガスを同時に噴射する、（８３）〜（８６）のいずれか１つに記載の電界紡糸装置。
【０１５８】
（８８）電気回路は、電界紡糸溶液を噴射する前に、約０．１〜約１．０秒の間所定乾燥度のガスを噴射する、（８３）〜（８７）のいずれか１つに記載の電界紡糸装置。
【０１５９】
（８９）電気回路は、噴射サイクルにおいて、所定乾燥度のガスを制御し、電界紡糸溶液の噴射の停止前に、所定乾燥度のガスの噴射を停止する、（８３）〜（８８）のいずれか１つに記載の電界紡糸装置。
【０１６０】
（９０）電気回路は、噴射サイクルの間、所定乾燥度のガスを制御して、所定第１時間所定乾燥度のガスを噴射し、電界紡糸溶液を制御して、所定第２時間電界紡糸溶液を噴射する、（８３）〜（８９）のいずれか１つに記載の電界紡糸装置。
【０１６１】
（９１）所定第１時間は、所定第２時間と異なっている、（８３）〜（９０）のいずれか１つに記載の電界紡糸装置。
【０１６２】
（９２）所定第１時間は、所定第２時間よりも長い、（８３）〜（９１）のいずれか１つに記載の電界紡糸装置。
【０１６３】
（９３）所定第１時間は、所定第２時間よりも短い、（８３）〜（９２）のいずれか１つに記載の電界紡糸装置。
【０１６４】
（９４）所定第１時間と所定第２時間とは、同じである、（８３）〜（９３）のいずれか１つに記載の電界紡糸装置。
【０１６５】
（９５）電界紡糸装置の正面図において、ガス噴射部の中心軸は、ノズル開口部の中心軸から所定距離オフセットされている、（８３）〜（９４）のいずれか１つに記載の電界紡糸装置。
【０１６６】
（９６）オフセットは、約１２．５ｍｍであるか、または、約０〜約５インチである、（８３）〜（９５）のいずれか１つに記載の電界紡糸装置。
【０１６７】
（９７）電界紡糸装置の正面図において、ガス噴射部の中心軸は、ノズル開口部の中心軸と一致している、（８３）〜（９６）のいずれか１つに記載の電界紡糸装置。
【０１６８】
（９８）電界紡糸装置の正面図において、ガス噴射部の中心軸は、ノズル開口部の中心軸と同心円状に並んでいる、（８３）〜（９７）のいずれか１つに記載の電界紡糸装置。
【０１６９】
（９９）電界紡糸装置の正面図において、ガス噴射部は、ノズル開口部から所定最小距離離れている、（８３）〜（９８）のいずれか１つに記載の電界紡糸装置。
【０１７０】
（１００）所定最小距離離は、約２ｍｍであるか、または、約０〜約５インチである、（８３）〜（９９）のいずれか１つに記載の電界紡糸装置。
【０１７１】
（１０１）ガス噴射部は、一つのガス噴射部開口部からなる、（８３）〜（１００）のいずれか１つに記載の電界紡糸装置。
【０１７２】
（１０２）一つのガス噴射部開口部は、連続スリットの形状である、（８３）〜（１０１）のいずれか１つに記載の電界紡糸装置。
【０１７３】
（１０３）ガス噴射部開口部は、一つのガス噴射部開口部からなり、電界紡糸装置の正面図において、一つのガス噴射部開口部は、ノズル開口部を部分的に又は完全に取り囲む、（８３）〜（１０２）のいずれか１つに記載の電界紡糸装置。
【０１７４】
（１０４）一つのガス噴射部開口部は、連続スリットの形状である、（８３）〜（１０３）のいずれか１つに記載の電界紡糸装置。
【０１７５】
（１０５）ガス噴射部は、複数のガス噴射部開口部を含む、（８３）〜（１０４）のいずれか１つに記載の電界紡糸装置。
【０１７６】
（１０６）複数のガス噴射部開口部は、ノズル開口部の周囲に均等に配置されている、（８３）〜（１０５）のいずれか１つに記載の電界紡糸装置。
【０１７７】
（１０７）ガス噴射部又はガス噴射部の一部は、電界紡糸装置の本体から取り外し可能である、（８３）〜（１０６）のいずれか１つに記載の電界紡糸装置。
【０１７８】
（１０８）ガス供給部又はガス供給部の一部は、電界紡糸装置の本体に着脱自在に連結されている、（８３）〜（１０７）のいずれか１つに記載の電界紡糸装置。
【０１７９】
（１０９）ガス供給部又はガス供給部の一部は、電界紡糸装置の本体から取り外し可能である、（８３）〜（１０８）のいずれか１つに記載の電界紡糸装置。
【０１８０】
（１１０）ノズル又はノズルの一部は、電界紡糸装置の本体に着脱自在に連結されている、（８３）〜（１０９）のいずれか１つに記載の電界紡糸装置。
【０１８１】
（１１１）ノズル又はノズルの一部は、電界紡糸装置の本体から取り外し可能である、（８３）〜（１１０）のいずれか１つに記載の電界紡糸装置。
【０１８２】
（１１２）ノズル開口部の近傍は、ノズル開口部の前方を含む、（８３）〜（１１１）のいずれか１つに記載の電界紡糸装置。
【０１８３】
（１１３）ノズル開口部の前方は、ノズル先端から、ノズルの軸方向に約２００ｍｍ以下離れた位置を含む、（８３）〜（１１２）のいずれか１つに記載の電界紡糸装置。
【０１８４】
（１１４）ノズル開口部の近傍は、電界紡糸溶液を堆積させるための堆積面を含む、（８３）〜（１１３）のいずれか１つに記載の電界紡糸装置。
【０１８５】
（１１５）堆積面は、ノズルのノズル先端から約３０ｍｍ離れている、（８３）〜（１１４）のいずれか１つに記載の電界紡糸装置。
【０１８６】
（１１６）ガス吐出口は、ノズル開口部の位置、ノズル開口部の前方又は後方の焦点に向けて、所定乾燥度のガスを噴射する、（８３）〜（１１５）のいずれか１つに記載の電界紡糸装置。
【０１８７】
（１１７）焦点は、ノズルの軸方向において、ノズルのノズル先端とノズル先端から約２００ｍｍ離れた位置との間にある、（８３）〜（１１６）のいずれか１つに記載の電界紡糸装置。
【０１８８】
（１１８）ガス噴射部は、ノズル開口部の中心軸と一致するノズル開口部の前方の焦点に向けて、所定乾燥度のガスを噴射する、（８３）〜（１１７）のいずれか１つに記載の電界紡糸装置。
【０１８９】
（１１９）焦点は、ノズルの軸方向において、ノズルのノズル先端とノズル先端から約３０ｍｍ離れた位置との間にある、（８３）〜（１１８）のいずれか１つに記載の電界紡糸装置。
【０１９０】
（１２０）ガス噴射部は、所定乾燥度のガスが、ノズル開口部及び／又はノズル開口部の前方に位置するように、所定乾燥度のガスを噴射する、（８３）〜（１１９）のいずれか１つに記載の電界紡糸装置。
【０１９１】
（１２１）ガス噴射部は、電界紡糸溶液が、ノズル開口部から噴射される方向とは平行でない所定方向に、所定乾燥度のガスを噴射する、（８３）〜（１２０）のいずれか１つに記載の電界紡糸装置。
【０１９２】
（１２２）ガス噴射部は、所定乾燥度のガスが、ノズルのノズル先端に隣接するノズル開口部から噴射された電界紡糸溶液と合流するように、所定乾燥度のガスを噴射する、（８３）〜（１２１）のいずれか１つに記載の電界紡糸装置。
【０１９３】
（１２３）所定乾燥度のガスは、ノズル先端と、ノズル先端からノズルの軸方向に約３０ｍｍ離れた位置との間で、電界紡糸溶液と合流する、（８３）〜（１２２）のいずれか１つに記載の電界紡糸装置。
【０１９４】
（１２４）所定乾燥度のガスは、電界紡糸溶液の堆積面で電界紡糸溶液と合流する、（８３）〜（１２３）のいずれか１つに記載の電界紡糸装置。
【０１９５】
（１２５）ガス噴射部の全ての開口の断面積の合計は、ノズル開口部の断面積の合計よりも大きい、（８３）〜（１２４）のいずれか１つに記載の電界紡糸装置。
【０１９６】
（１２６）ノズルは、本体から第１高さ分延出し、ガス噴射部は、本体から第２高さ分延出し、第１高さは第２高さよりも高い、（８３）〜（１２５）のいずれか１つに記載の電界紡糸装置。
【０１９７】
（１２７）所定乾燥度のガスは、空気、圧縮空気、Ｏ２、Ｎ２、Ａｒ、Ｈｅ及びＣＯ２のうちの１以上を含有する、（８３）〜（１２６）のいずれか１つに記載の電界紡糸装置。
【０１９８】
（１２８）堆積面は、人間の皮膚である、（８３）〜（１２７）の何れか１に記載の電界紡糸装置。
【０１９９】
（１２９）電界紡糸装置は、周囲の環境条件が約２５℃で約５０％ＲＨ以上であるときに動作する、（８３）〜（１２８）のいずれか１つに記載の電界紡糸装置。
【０２００】
（１３０）所定乾燥度のガスは、ノズル先端の前方の湿度を低下させる、（８３）〜（１２９）のいずれか１つに記載の電界紡糸装置。
【０２０１】
（１３１）湿度を５０％ＲＨ未満に低下させる、（８３）〜（１３０）のいずれか１つに記載の電界紡糸装置。
【０２０２】
（１３２）湿度を約１０％ＲＨ〜約３０％ＲＨに低下させる、（８３）〜（１３１）のいずれか１つに記載の電界紡糸装置。
【０２０３】
（１３３）所定乾燥度のガスの湿度は、電界紡糸装置が動作する部屋の湿度未満である、（８３）〜（１３２）のいずれか１つに記載の電界紡糸装置。
【０２０４】
（１３４）所定乾燥度のガスの湿度は、約１０％ＲＨ〜約３０％ＲＨである、（８３）〜（１３３）のいずれか１つに記載の電界紡糸装置。
【０２０５】
（１３５）所定乾燥度は、所定のＲＨであり、電界紡糸装置は、所定ＲＨのガスを噴射して、ノズルのノズル先端の周囲の空気のＲＨ、噴射された電界紡糸溶液の周囲の空気のＲＨ、及び／又は電界紡糸溶液と堆積面との間の通路又は意図された通路の周囲の空気のＲＨに作用させる、（８３）〜（１３４）のいずれか１つに記載の電界紡糸装置。
【０２０６】
（１３６）湿度管理された処理ボックスの外で操作される、（８３）〜（１３５）のいずれか１つに記載の電界紡糸装置。
【０２０７】
（１３７）電界紡糸溶液として噴射される溶液は、電界紡糸装置の溶液貯蔵部から排出され、溶液は、化粧品処方である、（８３）〜（１３６）のいずれか１つに記載の電界紡糸装置。
【０２０８】
（１３８）電界紡糸溶液として噴射される溶液は、ポリマ溶液である、（８３）〜（１３７）のいずれか１つに記載の電界紡糸装置。
【０２０９】
（１３９）ポリマ溶液は、コーティング形成能を有する水不溶性ポリマである、（８３）〜（１３８）のいずれか１つに記載の電界紡糸装置。
【０２１０】
（１４０）コーティング形成能を有する水不溶性ポリマは、コーティング形成後に不溶化できる完全鹸化ポリビニルアルコール、架橋剤と併用することでコーティング形成後に架橋できる部分鹸化ポリビニルアルコール、ポリ（Ｎ−プロパノイルエチレンイミン）グラフト−ジメチルシロキサン／γ−アミノプロピルメチルシロキサン共重合体を含むオキサゾリン変性シリコーン、ポリビニルアセタールジエチルアミノアセテート、ゼイン（とうもろこし蛋白質の主要成分）、ポリエステル、ポリ乳酸（ＰＬＡ）、ポリアクリロニトリル樹脂またはポリメタクリル酸樹脂を含むアクリル樹脂、ポリスチレン樹脂、ポリビニルブチラール樹脂、ポリエチレンテレフタレート樹脂、ポリブチレンテレフタレート樹脂、ポリウレタン樹脂、ポリアミド樹脂、ポリイミド樹脂、ポリアミドイミド樹脂、及びポリビニルブチラール樹脂からなる群から選択される、（８３）〜（１３９）のいずれか１つに記載の電界紡糸装置。
【０２１１】
（１４１）荷電溶液として噴射される溶液は、成分（ａ）、成分（ｂ）、及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマである、（８３）〜（１４０）のいずれか１つに記載の電界紡糸装置。
【０２１２】
（１４２）アルコールは、１以上の鎖式脂肪族一価アルコール、１以上の環式脂肪族一価アルコール、及び／又は、１以上の芳香族一価アルコールを含み、ケトンは、アセトン、メチルエチルケトン及びメチルイソブチルケトンのうちの１以上を含む、（８３）〜（１４１）のいずれか１つに記載の電界紡糸装置。
【０２１３】
（１４３）アルコールは、エタノール、イソプロピルアルコール、及びブチルアルコールから選択される少なくとも１つからなる、（８３）〜（１４２）のいずれか１つに記載の電界紡糸装置。
【０２１４】
（１４４）アルコールは、エタノール、及びブチルアルコールから選択される少なくとも１つからなる、（８３）〜（１４３）のいずれか１つに記載の電界紡糸装置。
【０２１５】
（１４５）アルコールは、エタノールからなる、（８３）〜（１４４）のいずれか１つに記載の電界紡糸装置。
【０２１６】
（１４６）所定乾燥度のガスは、好ましくは、約０．０５ｍ／秒〜約１０ｍ／秒、より好ましくは、約０．１５ｍ／秒〜約１ｍ／秒の範囲内の速度で、ガス噴射部から噴射される、（８３）〜（１４５）のいずれか１つに記載の電界紡糸装置。
【０２１７】
（１４７）所定乾燥度のガスは、ガス噴射部の開口部において、所定基準速度で、ガス噴射部から電界紡糸溶向けて、噴射され、所定速度は、所定乾燥度のガスが、電界紡糸溶液の流れを変えない速度であるか、または電界紡糸溶液の流れの形状を変形させない速度である、（８３）〜（１４６）のいずれか１つに記載の電界紡糸装置。
【０２１８】
（１４８）ノズルは、非導電性材料又は絶縁性材料から形成されている、（８３）〜（１４７）のいずれか１つに記載の電界紡糸装置。
【０２１９】
（１４９）非導電性材料又は絶縁性材料は、樹脂及びプラスチックのうちの一つである、（８３）〜（１４８）のいずれか１つに記載の電界紡糸装置。
【０２２０】
（１５０）非導電性材料又は絶縁性材料は、ポリテトラフルオロエチレン（ＰＴＦＥ）及び／又はポリプロピレンであるか、ポリテトラフルオロエチレン（ＰＴＦＥ）及び／又はポリプロピレンを含む、（８３）〜（１４９）のいずれか１つに記載の電界紡糸装置。
【０２２１】
（１５１）コントロールスイッチは、所定乾燥度のガスの噴射を制御する、（８３）〜（１５０）のいずれか１つに記載の電界紡糸装置。
【０２２２】
（１５２）ユーザによる手動操作に基づいて、所定乾燥度のガスの噴射を制御する第２コントロールスイッチをさらに有する、（８３）〜（１５０）のいずれか１つに記載の電界紡糸装置。
【０２２３】
（１５３）電界紡糸装置の近傍の湿度を感知する湿度センサをさらに有し、湿度センサが所定閾値以上の湿度を感知した場合、電気回路は、ユーザに表示を出力して、所定乾燥度のガスを噴射させるか、自動的に所定乾燥度のガスを噴射させる、（８３）〜（１５２）のいずれか１つに記載の電界紡糸装置。
【０２２４】
（１５４）ガス供給部は、所定乾燥度のガスの流速を制御するレギュレータと、所定量の所定乾燥度のガスを貯蔵するガス貯蔵部とを有する、（８３）〜（１５３）のいずれか１つに記載の電界紡糸装置。
【０２２５】
（１５５）ガス貯蔵部は、ガス缶、圧縮ガスタンク、及び除湿機システムの一つである、（８３）〜（１５４）のいずれか１つに記載の電界紡糸装置。
【０２２６】
（１５６）電気回路は、電界紡糸溶液を制御して噴射し、制御して噴射することは、電界紡糸溶液が噴射される速度の変更、噴射される電界紡糸溶液の量の変更、電界紡糸溶液が噴射される周期、及び電界紡糸溶液が噴射されるタイミングのうち一つ以上を包む、（８３）〜（１５５）のいずれか１つに記載の電界紡糸装置。
【０２２７】
（１５７）電気回路は、所定乾燥度のガスを制御して、噴射し、制御して噴射することは、所定乾燥度のガスが噴射される速度の変更、噴射される所定乾燥度のガスの量の変更、所定乾燥度のガスが噴射される周期、及び所定乾燥度のガスが噴射されるタイミングのうち一つ以上を包む、（８３）〜（１５６）のいずれか１つに記載の電界紡糸装置。
【０２２８】
（０１５８）電気回路は、電界紡糸溶液を制御して、噴射し、制御して噴射することは、電界紡糸溶液が噴射される速度の変更、噴射される電界紡糸溶液の量の変更、電界紡糸溶液が噴射される周期、及び電界紡糸溶液が噴射されるタイミングのうち一つ以上を包み、および、電気回路は、所定乾燥度のガスを制御して、噴射し、制御して噴射することは、所定乾燥度のガスが噴射される速度の変更、噴射される所定乾燥度のガスの量の変更、所定乾燥度のガスが噴射される周期、及び所定乾燥度のガスが噴射されるタイミングのうち一つ以上を包む、（８３）〜（１５７）のいずれか１つに記載の電界紡糸装置。
【０２２９】
（１５９）（１）〜（８１）のいずれか１つに記載の装置、（８２）に記載のシステム、又は（８３）〜（１５８）のいずれか１つに記載の電界紡糸装置を提供するステップと、（１）〜（８１）のいずれか１つに記載の装置、（８２）に記載のシステム、又は（８３）〜（１５８）のいずれか１つに記載の電界紡糸装置を使用するステップと、を含む方法。
【０２３０】
（１６０）装置又はシステムを使用ステップにおいて、ノズルの周囲の空気の湿度、噴射された溶液の周囲の空気の湿度、及び／又はノズルと堆積面との間の溶液流路の周囲の空気の湿度を低下させる、（１５９）に記載の方法。
【０２３１】
（１６１）（１）〜（８１）のいずれか１つに記載の装置を提供するステップ、製造するステップ、又は使用するステップを含む方法。
【０２３２】
（１６２）（８２）に記載のシステムを提供するステップ、製造するステップ、又は使用するステップを方法。
【０２３３】
（１６３）（８３）〜（１５８）のいずれか１つに記載の電界紡糸装置を提供するステップ、製造するステップ、又は使用するステップを含む方法。
【０２３４】
本発明の実施形態を説明してきたが、当業者であれば、上述の説明は、単なる例示であって、本発明を限定するものではないことは明らかである。従って、本明細書において特定の構成について説明し、図示してきたが、その他の構成も採用でき、また、採用されている。さらに、多数の変形例やその他の実施形態（例えば、組み合わせ、再配置等）が本開示によって実施可能となり、それらは、本発明及びその均等物の範囲内であるものと考えられる。開示された本発明の特徴は、開示した本発明の範囲内で、組み合わせ、再配置、省略等をして追加の実施形態を生成することができる。さらに、特定の特徴は、その他の特徴を対応して使用することなく効果的に使用することが可能である。従って、出願人は、本発明の趣旨及び範囲内にあるそのような代替例、変更例、均等例、及び、変形例の全てを含むことを意図する。
【符号の説明】
【０２３５】
１  ユーザ
２  手
４  堆積面
５  接地回路
５０  帯電溶液
５５  所定乾燥度のガス
１００  装置／システム
１０１  本体
１０２  ノズル
１０３  ガス噴射部
１０４  ユーザインタフェース
１０５  高圧電極
１０６  電気回路
１０７  溶液貯蔵部
１０８  ガス供給部
１０９  電源
１１０  低電圧電源
１１１  高電圧電源
１１２  高圧抵抗器
１１３  コントローラ
１１４  コントローラ
１１５  モータ
ＳＷ  電源スイッチ
１１６  アクチュエータ
４００  装置／システム
４０１  本体
４０２  ノズル
４０３  ガス噴射部
４０６  電気回路
４０７  溶液貯蔵部
４０８  ガス供給部
Ｄ１  オフセット距離
７００  装置／システム
７０１  本体
７０２  ノズル
７０３  ガス噴射部
７０８  ガス供給部
１０００  方法
１００２  ステップ
１００４  ステップ
【図１】
2021504589.tif 000003
【図２】
2021504589.tif 000004
【図３】
2021504589.tif 000005
【図４】
2021504589.tif 000006
【図５Ａ】
2021504589.tif 000007
【図５Ｂ】
2021504589.tif 000008
【図６Ａ】
2021504589.tif 000009
【図６Ｂ】
2021504589.tif 000010
【図７】
2021504589.tif 000011
【図８Ａ】
2021504589.tif 000012
【図８Ｂ】
2021504589.tif 000013
【図９Ａ】
2021504589.tif 000014
【図９Ｂ】
2021504589.tif 000015
【図９Ｃ】
2021504589.tif 000016
【図１０】
2021504589.tif 000017
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
帯電溶液及び所定乾燥度のガスを制御して噴射する装置であって、
前記装置は、
ノズル先端に位置するノズル開口部から前記帯電溶液を噴射するノズルと、
前記ノズルに対して配置され、噴射口から、前記所定乾燥度のガスを所定基準速度で所定方向に噴射し、前記所定乾燥度のガスを前記ノズル開口部の近傍に供給するガス噴射部と、
を有し、
前記ガス噴射部は、前記ノズル開口部の位置、前記ノズル開口部の前方又は後方の焦点に向けて前記所定乾燥度のガスを所定方向に噴射する、装置。
【請求項２】
前記所定乾燥度のガスは、前記帯電溶液を噴射する前に噴射される、請求項１に記載の装置。
【請求項３】
前記ノズル先端は、前記ガス噴射部よりも装置本体から突出している、請求項１または２に記載の装置。
【請求項４】
前記装置は、携帯用の、手持ち式の装置である、請求項１〜３のいずれか１項に記載の装置。
【請求項５】
前記ガス噴射部は、一つのガス噴射部開口部からなる、請求項１〜４のいずれか１項に記載の装置。
【請求項６】
前記ガス噴射部は、前記ノズル開口部の中心軸と一致する前記ノズル開口部の前方の焦点に向けて、前記所定乾燥度のガスを前記所定方向に噴射する、請求項１〜５のいずれか１項に記載の装置。
【請求項７】
前記荷電溶液として噴射される溶液は、成分（ａ）、成分（ｂ）、及び成分（ｃ）を含む液剤であり、
前記成分（ａ）は、アルコール及びケトンからなる群から選択される１以上の揮発性物質であり、
前記成分（ｂ）は、水であり、
前記成分（ｃ）は、コーティング形成能を有する１以上のポリマである、請求項１〜６のいずれか１項に記載の装置。
【請求項８】
前記所定乾燥度のガスは、所定速度で噴射され、前記所定速度は、前記噴射口の断面積に基づいて、約０．０５ｍ／秒〜約１０ｍ／秒又は約０．１５ｍ／秒〜約１ｍ／秒の範囲である、請求項１〜７のいずれか１項に記載の装置。
【請求項９】
帯電溶液及び所定乾燥度のガスを制御して噴射する装置を提供するステップと、
提供された前記装置を使用するステップと、
を含む方法であって、
前記装置は、
ノズル先端に位置するノズル開口部から前記帯電溶液を噴射するノズルと、
前記ノズルに対して配置され、噴射口から、前記所定乾燥度のガスを所定基準速度で所定方向に噴射し、前記所定乾燥度のガスをノズル開口部の近傍に供給するガス噴射部と、
を有し、
前記ガス噴射部は、前記ノズル開口部の位置、前記ノズル開口部の前方又は後方の焦点に向けて前記所定乾燥度のガスを前記所定方向に噴射する、方法。
【請求項１０】
前記使用するステップにおいて、前記提供された装置は、前記焦点の近傍の湿度を約１０％ＲＨ〜約３０％ＲＨに低下させる、請求項９に記載の方法。
【国際調査報告】
2021504589.tif 000018